(57)【要約】例示的な無誘導共振近接場アンテナは、（ｉ）第１及び第２対向平坦表面及び第１表面から第２表面へ導電板を通って伸長する１以上の切り抜きを有する導電板と、（ｉｉ）絶縁体と、（ｉｉｉ）複数のＲＦ電力伝送信号を導電板へ向けるように構成された、絶縁体によって導電板の第１表面から分離された給電素子と、を含む。複数のＲＦ電力伝送信号のうち少なくとも一部は、切り抜き（複数も可）を通って放射し、導電板の近接場距離内に蓄積して、切り抜き（複数も可）の各々において蓄積ＲＦエネルギの少なくとも２つの区分ゾーンを生成する。また、切り抜き（複数も可）における蓄積ＲＦエネルギの少なくとも２つの区分ゾーンは、切り抜き（複数も可）の各々を規定する寸法のセット及び切り抜き（複数も可）の配置に少なくとも部分的に基づいて規定される。【選択図】図１Ａ
2020522157.tif 000002
【特許請求の範囲】
【請求項１】
ラジオ周波数（ＲＦ）電力伝送信号を送信するための近接場アンテナであって、
対向する第１及び第２平坦表面及び前記第１表面から前記第２表面へ導電板を通って伸長する１以上の切り抜きを有する導電板と、
絶縁体と、
複数のＲＦ電力伝送信号を前記導電板へ向けるように構成された、前記絶縁体によって前記導電板の前記第１表面から分離された給電素子と、を備え、
前記複数のＲＦ電力伝送信号のうち少なくとも一部の前記ＲＦ電力伝送信号は、前記１以上の切り抜きを通って放射し、前記導電板の近接場距離内に蓄積して、前記１以上の切り抜きの各々において蓄積ＲＦエネルギの少なくとも２つの区分ゾーンを生成し、
前記１以上の切り抜きの各々における前記蓄積ＲＦエネルギの少なくとも２つの区分ゾーンは、（ｉ）前記１以上の切り抜きの各々を規定する寸法のセット、及び（ｉｉ）前記１以上の切り抜きの配置に少なくとも部分的に基づいて規定される、近接場アンテナ。
【請求項２】
前記１以上の切り抜きのうち第１切り抜きは、第１蛇行線パターンを形成し、
前記１以上の切り抜きのうち第２切り抜きは、第２蛇行線パターンを形成する、請求項１に記載の近接場アンテナ。
【請求項３】
前記第１蛇行線パターンの形状は、前記第２蛇行線パターンの形状の鏡対称であり、
前記第１及び第２蛇行線パターンは、同じ寸法のセットを有し、
前記第１蛇行線パターンの前記形状は、前記第２蛇行線パターンの前記形状に対して回転させられる、請求項２に記載の近接場アンテナ。
【請求項４】
前記１以上の切り抜きのそれぞれの切り抜きは、前記複数のＲＦ電力伝送信号のそれぞれのＲＦ電力伝送信号の波長と少なくとも同じ大きさのそれぞれの長さを有する、請求項１に記載の近接場アンテナ。
【請求項５】
前記それぞれの切り抜きは、少なくとも、
第１方向に規定された第１切り抜き部分と、
前記第１方向に直交する第２方向に規定された第２切り抜き部分と、を含み、
前記蓄積ＲＦエネルギの少なくとも２つの区分ゾーンの１つ目は、前記第１切り抜き部分に生成され、
前記蓄積ＲＦエネルギの少なくとも２つの区分ゾーンの２つ目は、前記第２切り抜き部分に生成される、請求項４に記載の近接場アンテナ。
【請求項６】
前記給電素子は、パッチアンテナの構成要素であり、前記絶縁体は、前記給電素子と前記導電板との間に配置される、請求項１に記載の近接場アンテナ。
【請求項７】
前記給電素子は、前記絶縁体に少なくとも部分的に包まれたパッチアンテナの構成要素である、請求項１に記載の近接場アンテナ。
【請求項８】
前記絶縁体は、ポリマ、繊維強化ポリマ、ガラス、及び空気から成るグループから選択される、請求項１に記載の近接場アンテナ。
【請求項９】
前記少なくとも２つの区分ゾーンは、前記導電板の前記第２表面の表面積の８０％以上を覆う、請求項１〜８のいずれか１項に記載の近接場アンテナ。
【請求項１０】
前記少なくとも２つの区分ゾーンは、前記導電板の前記第２表面の前記表面積の９０％以上を覆う、請求項１〜８のいずれか１項に記載の近接場アンテナ。
【請求項１１】
前記蓄積ＲＦエネルギの少なくとも２つの区分ゾーンは、前記導電板の前記第２表面の上に５ミリメートル以下伸長する、請求項１〜８のいずれか１項に記載の近接場アンテナ。
【請求項１２】
前記蓄積ＲＦエネルギの少なくとも２つの区分ゾーンは、前記導電板の前記第２表面の上に４ミリメートル以下伸長する、請求項１〜８のいずれか１項に記載の近接場アンテナ。
【請求項１３】
前記蓄積ＲＦエネルギの少なくとも２つの区分ゾーンは、前記導電板の前記第２表面の上に３ミリメートル以下伸長する、請求項１〜８のいずれか１項に記載の近接場アンテナ。
【請求項１４】
前記複数のＲＦ電力伝送信号の各々は、５．８ＧＨｚ、２．４ＧＨｚ、及び９００ＭＨｚから成るグループから選択された周波数で送信される、請求項１〜８のいずれか１項に記載の近接場アンテナ。
【請求項１５】
前記近接場アンテナは第１近接場アンテナであり、近接場充電パッドにおいて前記第１近接場アンテナに隣接した位置にある第２近接場アンテナも含む前記近接場充電パッドの一部であり、
前記第２近接場アンテナに関連するそれぞれの切り抜きは、前記第１近接場アンテナに関連する前記１以上の切り抜きに対して回転させられる、請求項１〜８のいずれか１項に記載の近接場アンテナ。
【請求項１６】
前記給電素子は、前記表面から所定の距離内に無線電力受信器が配置されたという決定に応答して、電力増幅器から前記１以上のＲＦ電力伝送信号を受信する、請求項１〜８のいずれか１項に記載の近接場アンテナ。
【請求項１７】
前記所定の距離は、前記表面から約５ｍｍ未満である、請求項１６に記載の近接場アンテナ。
【請求項１８】
前記所定の距離は、前記近接場アンテナに接続されたプロセッサによって受信された送信に関連する信号強度レベルを測定することによって監視され、
前記信号強度レベルは、前記無線電力受信器から受信したブロードキャスト信号に関連する、請求項１７に記載の近接場アンテナ。
【請求項１９】
前記給電素子及び前記絶縁体を包囲する導電性ハウジングを更に備え、
前記導電性ハウジングは、前記ハウジングの一端に開口部を規定し、
前記導電板は、前記開口部に近接する、請求項１〜８のいずれか１項に記載の近接場アンテナ。
【請求項２０】
前記導電板は第１導電板であり、前記近接場アンテナは更に、
前記第１導電板の前記第２表面に配置された追加の絶縁体と、
１以上の追加の切り抜きを有する、前記追加の絶縁体の上に配置された第２導電板と、を備える、請求項１９に記載の近接場アンテナ。
【請求項２１】
前記導電板は、前記絶縁体の表面に堆積された導電層である、請求項１〜８のいずれか１項に記載の近接場アンテナ。
【請求項２２】
前記絶縁体は第１絶縁体であり、前記近接場アンテナは、前記給電素子を接地板から分離する第２絶縁体を更に含む、請求項１〜８のいずれか１項に記載の近接場アンテナ。
【請求項２３】
近接場アンテナを動作させる方法であって、
（ｉ）第１及び第２対向平坦表面及び（ｉｉ）前記第１表面から前記第２表面へ導電板を通って伸長する１以上の切り抜きを有する導電板と、
絶縁体によって前記導電板の前記第１表面から分離された給電素子と、を含む近接場アンテナを提供することと、
前記給電素子に、複数のラジオ周波数（ＲＦ）電力伝送信号を前記導電板へ向けさせることと、
前記導電板において、前記給電素子からの前記複数のＲＦ電力伝送信号を受信することと、
前記複数のＲＦ電力伝送信号からのＲＦエネルギが前記導電板の近接場距離内に蓄積して、前記１以上の切り抜きの各々において蓄積ＲＦエネルギの少なくとも２つの区分ゾーンを生成するように、前記１以上の切り抜きを通して前記複数のＲＦ電力伝送信号の少なくとも一部を放射することであって、前記１以上の切り抜きの各々における前記蓄積ＲＦエネルギの少なくとも２つの区分ゾーンは、（ｉ）前記１以上の切り抜きの各々を規定する寸法のセット、及び（ｉｉ）前記１以上の切り抜きの配置に少なくとも部分的に基づいて規定される、放射することと、を含む方法。
【請求項２４】
近接場アンテナを製造する方法であって、
近接場アンテナの導電板を通って規定される１以上の切り抜きに関する寸法のセットを選択することであって、前記導電板は対向する第１及び第２表面を有することと、
所定の配置において前記導電板の前記第１及び第２表面を通る前記１以上の切り抜きを形成することであって、前記１以上の切り抜きの各々は前記寸法のセットを有することと、
前記導電板の前記第１表面に絶縁体を結合することと、
前記絶縁体に給電素子を結合することと、を含み、
前記給電素子は、複数のラジオ周波数（ＲＦ）電力伝送信号を前記導電板へ向けるように構成され、
前記複数のＲＦ電力伝送信号のうち少なくとも一部の前記ＲＦ電力伝送信号は、前記１以上の切り抜きを通って放射し、前記導電板の近接場距離内に蓄積して、前記１以上の切り抜きの各々において蓄積ＲＦエネルギの少なくとも２つの区分ゾーンを生成し、
前記１以上の切り抜きの各々における前記蓄積ＲＦエネルギの少なくとも２つの区分ゾーンは、（ｉ）前記１以上の切り抜きの各々を規定する寸法のセット、及び（ｉｉ）前記１以上の切り抜きの配置に少なくとも部分的に基づいて規定される、方法。
【発明の詳細な説明】
【技術分野】
【０００１】
[0001]  本開示は、一般に無線電力伝送に関し、より具体的には、受信器に電力を無線送達するために近接場距離にエネルギを蓄積する近接場アンテナ（例えば無誘導共振近接場アンテナ）に関する。
【背景技術】
【０００２】
[0002]  例えばスマートフォン、タブレット、ノートブック、及び他の電子デバイスなどのポータブル電子デバイスは、他者との連絡及び対話のための必需品となりつつある。しかし、ポータブル電子デバイスの頻繁な使用は、大量の電力を用い、これらのデバイスに取り付けられたバッテリを急速に枯渇させる。誘導性充電パッド及びポータブルデバイス内の対応する誘導コイルは、ユーザが誘導パッド上の特定の位置にデバイスを配置することによってデバイスを無線充電することを可能にし、誘導パッド及びデバイスにおけるそれぞれのコイル間での磁気結合によってデバイスの接触ベースの充電を可能にする。
【０００３】
[0003]  しかしながら、従来の誘導性充電パッドは、多くの欠点に苛まれる。その１つとして、充電パッドの表面に隙間（「デッドゾーン」又は「コールドゾーン」）が存在することにより、ユーザは一般に、自身のデバイスを充電パッド上の特定の位置に特定の方向で配置しなければならない。すなわち、最適な充電のために、充電パッド内のコイルは、必要な磁気結合が生じるようにデバイス内のコイルと位置合わせされる必要がある。また、誘導性充電パッドの付近に他の金属物体を置くことにより、誘導性充電パッドの動作と干渉することがあり、ユーザが自身のデバイスを正確な位置に配置しても、他の金属物体もまたパッド上にある場合、磁気結合が発生しないことがあり、デバイスは誘導性充電パッドによって充電されない。その結果、多くのユーザに、自身のデバイスを適切に充電することができないという苛立たしい体験がもたらされる。また、誘導性充電は、充電されるデバイス内に比較的大きい受信器コイルが設けられることを必要とするので、内部空間が貴重であるデバイスにとって理想的ではない。
【０００４】
[0004]  電磁放射（例えばマイクロ波放射波）を用いる充電は有望であるが、ＲＦ充電は一般に、充電されるデバイスがＲＦエネルギ送信器の上に配置される近接場充電ではなく、遠方場充電に焦点を置く。また、遠方場利得を制御することは困難であるが、特定の周波数帯域（例えばマイクロ波周波数帯域）で動作する他のデバイスとの干渉の原因となることを避けるためにも解決される必要がある。
【発明の概要】
【０００５】
[0005]  従って、（ｉ）受信器へ電力を無線送達するために近接場距離にエネルギを蓄積し、（ｉｉ）他のデバイスとの干渉を回避し、政府の指針及び規定に準拠するために遠方場利得を最小化し、（ｉｉｉ）ユーザがパッド上の任意の位置に自身のデバイスを配置しても無線送達エネルギを受け取ることを可能にする、近接場無線充電解決策に対する要望がある。いくつかの実施形態において、これらの充電パッドは、複数の近接場アンテナ（例えば無誘導共振近接場アンテナ）を含み、そのような近接場アンテナの１つを動作させる方法が以下で説明される。
【０００６】
[0006]  本開示のために、本明細書で説明される近接場アンテナは、相互置換的に、単位セルアンテナ、ＮＦアンテナ、及び無誘導共振アンテナと称される。また、近接場伝送への言及は、充電パッド送信器の表面から最大１〜５ミリメートルを含む距離に関する電磁波の放射を包含し、遠方場伝送への言及は、５ミリメートルを超える（かつ遠方場送信器から最大３０フィートの）距離に関する電磁波の放射を包含する。いくつかの例において、近接場伝送への言及は、動作周波数の４分の１波長までの距離に関する電磁波の放射を包含する（例えば、５．８ＧＨｚの動作周波数の４分の１波長は約１２．９２２ミリメートルである）。いくつかの実施形態において、動作周波数は、４００ＭＨｚ〜６０ＧＨｚの範囲である。
【０００７】
[0007]  （Ａ１）いくつかの実施形態において、近接場アンテナを動作させる方法は、第１及び第２対向平坦表面及び第１表面から第２表面へ導電板を通って伸長する（本明細書において１以上のスロットとも称される）１以上の切り抜きを有する導電板を含む近接場アンテナを提供することを含む。また近接場アンテナは、絶縁体によって導電板の第１表面から分離された給電素子も含む。方法は更に、給電素子に、複数のＲＦ電力伝送信号を導電板へ向けさせることと、導電板において、給電素子からの複数のＲＦ電力伝送信号を受信することとを含む。方法は更に、複数のＲＦ電力伝送信号からのＲＦエネルギが導電板の近接場距離内に蓄積して、１以上の切り抜きの各々において蓄積ＲＦエネルギの少なくとも２つの区分ゾーンを生成するように、１以上の切り抜きを通して複数のＲＦ電力伝送信号の少なくとも一部を放射することを含む。１以上の切り抜きの各々における蓄積ＲＦエネルギの少なくとも２つの区分ゾーンは、（ｉ）１以上の切り抜きの各々を規定する寸法のセット、及び（ｉｉ）１以上の切り抜きの配置に少なくとも部分的に基づいて規定される。
【０００８】
[0008]  （Ａ２）Ａ１の方法のいくつかの実施形態において、１以上の切り抜きのうち第１切り抜きは、第１蛇行線パターンを形成し、１以上の切り抜きのうち第２切り抜きは、第２蛇行線パターンを形成する。
【０００９】
[0009]  （Ａ３）Ａ２の方法のいくつかの実施形態において、第１蛇行線パターンの形状は、第２蛇行線パターンの形状の鏡対称であり、第１及び第２蛇行線パターンは、同じ寸法のセットを有し、第１蛇行線パターンの形状は、第２蛇行線パターンの形状に対して回転（例えば１８０度回転）される。例えば第１蛇行線パターンの形状は、第２蛇行性パターンの形状と交互配置される（例えば図２に示し更に詳しく後述するような、各Ｕ字形パターンの脚部が他のＵ字形パターンの２つの脚部の間に交互配置又は挿入された２つのＵ字形パターン）。あるいはいくつかの実施形態において、（例えば図５Ａに示すように）単一の切り抜きが対称の蛇行線パターンを形成する。
【００１０】
[0010]  （Ａ４）Ａ１〜Ａ３のいずれかの方法のいくつかの実施形態において、１以上の切り抜きのそれぞれの切り抜きは、複数のＲＦ電力伝送信号のそれぞれのＲＦ電力伝送信号の波長と少なくとも同じ大きさのそれぞれの長さを有する。
【００１１】
[0011]  （Ａ５）Ａ４の方法のいくつかの実施形態において、それぞれの切り抜きは、少なくとも（ｉ）第１方向に規定された第１切り抜き部分と、（ｉｉ）第１方向に直交する第２方向に規定された第２切り抜き部分とを含む。また、蓄積ＲＦエネルギの少なくとも２つの区分ゾーンの１つ目は、第１切り抜き部分に生成され（例えば第１切り抜き部分に沿って第１方向に形成され）、蓄積ＲＦエネルギの少なくとも２つの区分ゾーンの２つ目は、第２切り抜き部分に生成される（例えば第２切り抜き部分に沿って第２方向に形成される）。
【００１２】
[0012]  （Ａ６）Ａ１〜Ａ５のいずれかの方法のいくつかの実施形態において、給電素子は、少なくともパッチアンテナの構成要素であり、絶縁体は、給電素子と導電板との間に配置される。
【００１３】
[0013]  （Ａ７）Ａ１〜Ａ５のいずれかの方法のいくつかの実施形態において、給電素子は、絶縁体に少なくとも部分的に包まれたパッチアンテナの構成要素である。
【００１４】
[0014]  （Ａ８）Ａ１〜Ａ７のいずれかの方法のいくつかの実施形態において、絶縁体は、ポリマ、繊維強化ポリマ、ガラス、及び空気から成るグループから選択される。
【００１５】
[0015]  （Ａ９）Ａ１〜Ａ８のいずれかの方法のいくつかの実施形態において、少なくとも２つの区分ゾーンは、導電板の第２表面の表面積の８０％以上を覆う。
【００１６】
[0016]  （Ａ１０）Ａ１〜Ａ９のいずれかの方法のいくつかの実施形態において、少なくとも２つの区分ゾーンは、導電板の第２表面の表面積の９０％以上を覆う。
【００１７】
[0017]  （Ａ１１）Ａ１〜Ａ１０のいずれかの方法のいくつかの実施形態において、蓄積ＲＦエネルギの少なくとも２つの区分ゾーンは、導電板の第２表面の上に５ミリメートル（ｍｍ）以下伸長する。
【００１８】
[0018]  （Ａ１２）Ａ１〜Ａ１１のいずれかの方法のいくつかの実施形態において、蓄積ＲＦエネルギの少なくとも２つの区分ゾーンは、導電板の第２表面の上に４ミリメートル以下伸長する。
【００１９】
[0019]  （Ａ１３）Ａ１〜Ａ１２のいずれかの方法のいくつかの実施形態において、蓄積ＲＦエネルギの少なくとも２つの区分ゾーンは、導電板の第２表面の上に３ミリメートル以下伸長する。
【００２０】
[0020]  （Ａ１４）Ａ１〜Ａ１３のいずれかの方法のいくつかの実施形態において、複数のＲＦ電力伝送信号は、５．８ＧＨｚ、２．４ＧＨｚ、及び９００ＭＨｚから成るグループから選択された周波数で送信される。
【００２１】
[0021]  （Ａ１５）Ａ１〜Ａ１４のいずれかの方法のいくつかの実施形態において、近接場アンテナは第１近接場アンテナであり、近接場充電パッドにおいて第１近接場アンテナに隣接した位置にある第２近接場アンテナも含む近接場充電パッド（例えば送信器パッド１００、図１Ａ〜図１Ｂ）の一部である。また、第２近接場アンテナに関連するそれぞれの切り抜きは、第１近接場アンテナに関連する１以上の切り抜きに対して回転される。
【００２２】
[0022]  （Ａ１６）Ａ１〜Ａ１５のいずれかの方法のいくつかの実施形態において、給電素子は、表面から所定の距離内に無線電力受信器が配置されたという決定に応答して、電力増幅器から１以上のＲＦ電力伝送信号を受信する。
【００２３】
[0023]  （Ａ１７）Ａ１６の方法のいくつかの実施形態において、所定の距離は、表面から約５ｍｍ未満である。
【００２４】
[0024]  （Ａ１８）Ａ１７の方法のいくつかの実施形態において、所定の距離は、近接場アンテナに接続された（例えば近接場アンテナとの電気通信状態にある）プロセッサによって受信された送信に関連する信号強度レベルを測定することによって監視され、信号強度レベルは、無線電力受信器から受信したブロードキャスト信号に関連する。
【００２５】
[0025]  （Ａ１９）Ａ１〜Ａ１８のいずれかの方法のいくつかの実施形態において、給電素子及び絶縁体は、導電性ハウジングによって包囲される。また、導電性ハウジングは、ハウジングの一端に開口部を規定し、導電板は開口部に近接する。
【００２６】
[0026]  （Ａ２０）Ａ１〜Ａ１９のいずれかの方法のいくつかの実施形態において、導電板は第１導電板であり、近接場アンテナは更に、第１導電板の第２表面に配置された他の絶縁体（例えば誘電層）と、他の絶縁体の上に配置された第２導電板とを含む。いくつかの実施形態において、第２導電板は、１以上の追加の切り抜きを含む。あるいはいくつかの実施形態において、第２導電板ではなく、近接場アンテナは更に、他の絶縁体の表面に堆積された導電層を含む。
【００２７】
[0027]  （Ａ２１）Ａ１〜Ａ２０のいずれかの方法のいくつかの実施形態において、導電板は、絶縁体の表面に堆積された導電層である。あるいはいくつかの実施形態において、絶縁体は、導電板の第１表面に堆積された誘導層である。
【００２８】
[0028]  （Ａ２２）Ａ１〜Ａ２１のいずれかの方法のいくつかの実施形態において、絶縁体は第１絶縁体であり、近接場アンテナは更に、給電素子を接地板（例えば接地板３０８、図３Ａ）から分離する第２絶縁体を含む。
【００２９】
[0029]  （Ａ２３）他の態様において、近接場アンテナが提供され、この近接場アンテナは、Ａ１〜Ａ２２において上述した近接場アンテナに関する構造特性を含み、また近接場アンテナは、Ａ１〜Ａ２２において上述した方法ステップを行うように構成される。
【００３０】
[0030]  （Ａ２４）他の態様において、複数の近接場アンテナを含む送信器パッドが提供される。いくつかの実施形態において、送信器パッドは、少なくとも１つの近接場アンテナと、１以上の通信部品と、１以上のプロセッサと、１以上のプロセッサによって実行されると送信器パッドにＡ１〜Ａ２２のいずれか１つにおいて説明された方法を行わせる１以上のプログラムを格納するメモリとを含む。
【００３１】
[0031]  （Ａ２５）また他の態様において、（複数の近接場アンテナを含む）送信器パッドが提供され、送信器パッドは、Ａ１〜Ａ２２のいずれか１つにおいて説明された方法を行うための手段を含む。
【００３２】
[0032]  （Ａ２６）また他の態様において、非一時的コンピュータ可読記憶媒体が提供される。非一時的コンピュータ可読記憶媒体は、１以上のプロセッサ／コアを有する（複数の近接場アンテナを含む）送信器パッドによって実行されると送信器パッドにＡ１〜Ａ２２のいずれか１つにおいて説明された方法を行わせる実行可能命令を格納する。
【００３３】
[0033]  （Ｂ１）いくつかの実施形態において、近接場アンテナを製造する方法は、近接場アンテナの導電板を通って規定される１以上の切り抜きに関する寸法のセットを選択することを含み、導電板は対向する第１及び第２平坦表面を有する。方法は更に、所定の配置において導電板の第１及び第２表面を通る１以上の切り抜きを形成することを含み、１以上の切り抜きの各々は寸法のセットを有する。方法は更に、導電板の第１表面に絶縁体を結合することと、絶縁体に給電素子を結合することとを含む。いくつかの実施形態において、製造された近接場アンテナは、Ａ１〜Ａ２２において上述された近接場アンテナに関する構造特性を含み、また近接場アンテナは、Ａ１〜Ａ２２において上述された方法ステップを行うように構成される。
【００３４】
[0034]  （Ｃ１）また他の態様において、近接場アンテナが提供される。近接場アンテナは、（ｉ）複数のラジオ周波数（ＲＦ）電力伝送信号を導電板へ向けるように構成された給電素子と、（ｉｉ）給電素子によって送信された複数のＲＦ電力伝送信号のそれぞれのＲＦ電力伝送信号の波長と少なくとも同じ大きさの長さを有する、導電板を通って規定された第１スロットと、（ｉｉｉ）第１スロットと嵌合し、それぞれのＲＦ電力伝送信号の波長と少なくとも同じ大きさの長さを有する、導電板を通って規定された第２スロットとを含む。また、第１及び第２スロットを介する複数のＲＦ電力伝送信号の伝導時、蓄積ＲＦエネルギの少なくとも２つの区分ゾーンが第１及び第２スロットの各々の長さに沿って生じる。近接場アンテナは、Ａ１〜Ａ２２において上述された近接場アンテナに関する構造特性を含み、また近接場アンテナは、Ａ１〜Ａ２２において上述された方法ステップを行うように構成される。
【００３５】
[0035]  本開示が更に詳しく理解され得るように、より具体的な説明が様々な実施形態の特徴を参照して示され、そのいくつかは、添付図面に示される。ただし添付図面は、本開示の関連特徴を単に例示するのみであり、限定的であるとみなされるものではなく、本説明は、他の効果的な特徴の余地を与えるものである。
【図面の簡単な説明】
【００３６】
【図１Ａ】[0036]いくつかの実施形態に係る代表的な送信器パッドを示す図を示す。
【図１Ｂ】[0036]いくつかの実施形態に係る代表的な送信器パッドを示す図を示す。
【図２】[0037]いくつかの実施形態に係る送信器パッドの上部の図である。
【図３Ａ】[0038]いくつかの実施形態に係る送信器パッドの断面図を示す。
【図３Ｂ】[0038]いくつかの実施形態に係る送信器パッドの断面図を示す。
【図３Ｃ】[0038]いくつかの実施形態に係る送信器パッドの断面図を示す。
【図３Ｄ】[0038]いくつかの実施形態に係る送信器パッドの断面図を示す。
【図４Ａ】[0039]いくつかの実施形態に係る送信器パッドのそれぞれの近接場アンテナの様々な図を示す。
【図４Ｂ】[0039]いくつかの実施形態に係る送信器パッドのそれぞれの近接場アンテナの様々な図を示す。
【図４Ｃ】[0039]いくつかの実施形態に係る送信器パッドのそれぞれの近接場アンテナの様々な図を示す。
【図５Ａ】[0040]いくつかの実施形態に係る送信器パッドのそれぞれの近接場アンテナの上面図を示す。
【図５Ｂ】[0040]いくつかの実施形態に係る送信器パッドのそれぞれの近接場アンテナの上面図を示す。
【図６】[0041]いくつかの実施形態に係る近接場アンテナを動作させる方法を示すフロー図である。
【図７】[0042]いくつかの実施形態に係る近接場アンテナを製造する方法を示すフロー図である。
【図８】[0043]いくつかの実施形態に係る送信器パッドに形成された様々な電力分布（例えばエネルギ蓄積）を示す。
【図９】[0044]１以上の切り抜きを含む単位セルアンテナに関する放射パターン例を示すグラフである。
【発明を実施するための形態】
【００３７】
[0045]  一般的な方法に従い、図に示された様々な特徴は、一定比率で拡大縮小されたものではない。従って様々な特徴の寸法は、明確性のために任意に拡大又は縮小され得る。加えて、いくつかの図は、所与のシステム、方法、又はデバイスの構成要素の全てを示すわけではない。最後に、本明細書及び図面を通して、類似した参照番号は類似した特徴を示すために用いられ得る。
【００３８】
[0046]  添付図面に示された実施形態例の完全な理解をもたらすために、本明細書において数々の細部が説明される。ただし、いくつかの実施形態は、特定の細部の多くを伴わずに実施されてよく、特許請求の範囲に記載の範囲は、特許請求の範囲に具体的に記載されたそれらの特徴及び態様によってのみ限定される。また、周知のプロセス、構成要素、及び材料は、本明細書で説明される実施形態の関連する態様を不必要に曖昧にしないために、徹底的な細部まで説明されていない。
【００３９】
[0047]  図１Ａは、いくつかの実施形態に係る、送信器パッド１００の高次ブロック図である。送信器パッド１００（本明細書において、近接場ラジオ周波数（ＲＦ）充電パッド又は近接場充電パッドとも称される）は、構成要素１０２を含む。送信器パッドは、付近又は上（例えば送信器パッド１００の表面から５ｍｍ以内）に配置された受信器へ供給される電磁エネルギの制御された近接場蓄積を生成するように構成される。例えば図１Ｂは、無線電力受信器に結合されたデバイスに充電又は給電するために電磁エネルギの近接場蓄積からエネルギを回収する、送信器パッド１００の上に配置された無線電力受信器１２０（例えば、動作するために電力を必要とする任意の種類の電子デバイスに結合又は収容された受信器）を示す。本明細書の説明において、ラジオ周波数（ＲＦ）電力伝送波が基本実例として用いられるが、これらの説明を考慮して、当業者は、特定の実施形態又は実装において任意の種類の電磁放射波が代わりに用いられ得ることを理解する。
【００４０】
[0048]  送信器パッド１００の構成要素１０２は、例えば１以上のプロセッサ（複数も可）１０４、メモリ１０６、（本明細書において近接場アンテナとも称される）１以上の単位セルアンテナ１１０、１以上の通信部品１１２、及び／又は１以上の送信器センサ１１４を含む。いくつかの実施形態において、これらの構成要素１０２は、通信バス１０８によって相互接続される。いくつかの実施形態において、構成要素１０２は、送信器パッド１００内に収容される。あるいはいくつかの実施形態において、構成要素１０２の１以上は、送信器パッド１００の外側に（例えば外付けで）配置される。例えば、１以上のプロセッサ（複数も可）１０４、メモリ１０６、１以上の通信部品１１２は外付けであり、１以上の単位セルアンテナ１１０及び１以上の送信器センサ１１４は内蔵（又は構成要素の他の何らかの結合／配置）であってよい。
【００４１】
[0049]  いくつかの実施形態において、通信部品（複数も可）１１２は、例えば様々な無線プロトコル（例えばＩＥＥＥ８０２．１５．４、Ｗｉ−Ｆｉ、ＺｉｇＢｅｅ、６ＬｏＷＰＡＮ、Ｔｈｒｅａｄ、Ｚ−Ｗａｖｅ、Ｂｌｕｅｔｏｏｔｈ  Ｓｍａｒｔ、ＩＳＡ１００．１１ａ、無線ＨＡＲＴ、ＭｉＷｉなど）のいずれか、及び／又は本願の出願日に未だ開発されていない通信プロトコルを含む他の任意の適当な通信プロトコルを用いてデータ通信が可能であるハードウェアを含む。
【００４２】
[0050]  いくつかの実施形態において、通信部品１１２は、電子デバイスによって受信器１２０へ通信信号を送信する。例えば通信部品１１２は、電子デバイス（例えば電子デバイス２１０、図２）の通信部品へ情報を伝達してよく、次に電子デバイスがこれを受信器１２０へ（例えばバスを介して）伝達してよい。
【００４３】
[0051]  いくつかの実施形態において、受信器１２０は、受信器側の通信部品によって生成されたそれぞれの通信信号を通して、様々な種類のデータを送信器パッド１００と通信するように構成された通信部品を含む。データは、受信器１２０に関する位置インジケータ、電子デバイスの電力状態、受信器１２０に関する状態情報、電子デバイスに関する状態情報、電力波に関する状態情報、及び／又はエネルギ蓄積に関する状態情報（例えば区分ゾーン）を含んでよい。すなわち受信器１２０は、他の種類の情報を含む他の可能なデータ点の中でも特に、受信器１２０の現在位置、受信器１２０によって受信したエネルギ（すなわち使用可能電力）の量、電子デバイスによって受信及び／又は使用された使用可能電力の量を識別する情報を含む、送信器パッド１００の現在動作（又は単位セルの現在動作）に関するデータを、通信信号によって送信器パッド１００へ提供してよい。この情報は、本明細書で説明される実施形態に関連して送信器パッド１００によって用いられ得る。
【００４４】
[0052]  いくつかの実施形態において、通信信号に含まれるデータは、電力波を送信するために単位セルアンテナ１１０によって用いられる１以上の特性の調整を決定するために、電子デバイス、受信器１２０、及び／又は送信器パッド１００によって用いられる。通信信号を用いて、送信器パッド１００は、例えば送信器パッド１００上の受信器１２０を識別するため、電子デバイスを識別するため、電力波のための安全かつ効率的な波形特性を決定するため、及び／又はエネルギ蓄積の配置を改善するために用いられるデータを受信する。いくつかの実施形態において、受信器１２０は、例えば受信器１２０が送信器パッド１００上に配置された、又は配置されようとしていることを送信器パッド１００に知らせ、電子デバイスに関する情報を提供し、電子デバイスに対応するユーザ情報を提供し、受信電力波の有効性を示し、及び／又はエネルギの近接場蓄積を形成するために用いられる更新された特性又は送信パラメータを提供するためのデータを通信するために、通信信号を用いる。
【００４５】
[0053]  送信器センサ１１４の非限定的な例は、例えば赤外線、焦電性、超音波、レーザ、光学、ドップラー、ジャイロ、加速度計、マイクロ波、ミリメータ、ＲＦ定在波センサ、共振ＬＣセンサ、容量センサ、光センサ、及び／又は誘導性センサを含む。いくつかの実施形態において、送信器センサ（複数も可）１１４に関する技術は、例えば人間又は他の感受性物体の位置などの立体センサデータを取得するバイナリセンサを含む。
【００４６】
[0054]  いくつかの実施形態において、送信器パッド１００のメモリ１０６は、本明細書において集合的に「モジュール」と称される１以上のプログラム（例えば命令セット）及び／又はデータ構造を格納する。いくつかの実施形態において、メモリ１０６、又はメモリ１０６の非一時的コンピュータ可読記憶媒体は、以下のモジュール１０７（例えばプログラム及び／又はデータ構造）又はそれらのサブセット又はスーパーセットを格納する。
・受信器１２０から受信した（例えば受信器１２０のセンサによって生成され、その後、送信器パッド１００へ送信された）情報、
・送信器センサ（複数も可）１１４から受信した情報、
・ＲＦ電力伝送信号（例えばＲＦ電力伝送信号４２２、図４Ｃ）を（例えば単位セルアンテナ（複数も可）１１０に関連して）生成及び送信するためのＲＦ電力伝送信号生成モジュール、
・ＲＦ電力伝送信号の波形特性を選択するための特性選択モジュール、及び／又は
・（例えば送信器パッド１００の近接場送信範囲内にある）受信器１２０を検出するための通信信号を送信（又は受信）するビーコン送信モジュール。
【００４７】
[0055]  上で識別されたモジュール（例えばデータ構造及び／又は命令セットを含むプログラム）は、必ずしも個別のソフトウェアプログラム、手順、又はモジュールとして実装されるわけではなく、様々な実施形態において、これらのモジュールの様々なサブセットが結合され、あるいは並べ替えられ得る。いくつかの実施形態において、メモリ１０６は、上で識別されたモジュールのサブセットを格納する。またメモリ１０６は、上述されていない追加のモジュールを格納してよい。いくつかの実施形態において、メモリ１０６又はメモリ１０６の非一時的コンピュータ可読記憶媒体内に格納されたモジュールは、後述する方法におけるそれぞれの動作を実行するための命令を提供する。いくつかの実施形態において、これらのモジュールの一部又は全部が、モジュール機能の一部又は全部を包摂する専用ハードウェア回路によって実装され得る。上で識別された要素の１以上は、プロセッサ（複数も可）１０４の１以上によって実行され得る。いくつかの実施形態において、メモリ１０６に関して説明されたモジュールの１以上は、送信器パッド１００に通信可能に結合されたサーバ（不図示）のメモリ１０４において、及び／又は電子デバイス及び／又は受信器１２０のメモリによって実装される。加えて、メモリ１０６は、例えば特定の閾値及び基準ならびに特定の受信器の識別子などの他の情報を格納してよい。
【００４８】
[0056]  図１Ｂを参照すると、送信器パッド１００の簡略化上面図が示される。図１Ｂは、送信器パッド１００の上に配置され、その後、単位セルアンテナ１１０によって形成されたエネルギの近接場蓄積からエネルギを受け取る無線電力受信器１２０（受信器１２０とも称され、例えば電子デバイスに内部又は外部で結合された受信器）を示す。いくつかの実施形態において、受信器１２０は、送信器パッド１００によって形成されたエネルギの近接場蓄積からエネルギを受け取るための１以上のアンテナ、及び送信器パッド１００によって送信された通信を受信（又は通信を送信）するための通信部品を含む。受信器１２０の通信部品は、通信部品（複数も可）１１２に関して上述した様々な無線プロトコルを用いてデータ通信が可能なハードウェアも含んでよい。
【００４９】
[0057]  受信器１２０は、（本明細書において、ＲＦ電力伝送信号、又は単にＲＦ信号、電力波、又は電力伝送信号とも称される）受信信号からのエネルギを、受信器１２０に結合された電子デバイスに給電及び／又は充電するための電気エネルギに変換する。例えば受信器１２０は、電力波からの捕捉エネルギを、電子デバイスに給電及び／又は充電するために使用可能な交流（ＡＣ）電力又は直流（ＤＣ）電力に変換するために、電力変換器を用いる。電力変換器の非限定的な例は、様々な適当な回路及びデバイスの中でも特に、整流器、整流回路、電圧調整器を含む。
【００５０】
[0058]  いくつかの実施形態において、受信器１２０は、１以上の電子デバイス（例えば電子デバイス２１０、図２）に取外し可能に結合された独立型デバイスである。例えば電子デバイスは、電子デバイスの１以上の機能を制御するためのプロセッサ（複数も可）を有し、及び、受信器１２０は、受信器の１以上の機能を制御するためのプロセッサ（複数も可）を有する。いくつかの実施形態において、受信器１２０は、電子デバイスの構成要素である。例えば電子デバイスの１以上のプロセッサ（複数も可）は、電子デバイス及び受信器１２０の機能を制御する。加えて、いくつかの実施形態において、受信器１２０は、電子デバイスのプロセッサ（複数も可）と通信するプロセッサ（複数も可）を含む。
【００５１】
[0059]  いくつかの実施形態において、受信器１２０は、送信器パッド１００から１以上の電力波を直接受け取る。いくつかの実施形態において、受信器１２０は、送信器パッド１００によって送信された１以上の電力波によって生成された１以上のエネルギ蓄積（例えばエネルギ蓄積４１２、図４Ｂ）から電力波を回収する。以下で更に詳しく説明するように、１以上の電力波は、それぞれの単位セル１１０（例えば単位セル４００、図４Ａ）に規定された「切り抜き」（例えば切り抜き４０４−Ａ及び４０４−Ｂ、図４Ａ）においてエネルギ蓄積を生じさせる。いくつかの実施形態において、送信器パッド１００は、その充電表面から近接場距離内に１以上の電力波を送信する近接場送信器である。
【００５２】
[0060]  いくつかの実施形態において、（以下で更に詳しく説明するように）エネルギ蓄積からエネルギが回収された後、受信器１２０の回路（例えば集積回路、増幅器、整流器、及び／又は電圧調整器）は、エネルギを、受信器１２０に関連する電子デバイスに給電する、使用可能な電力（すなわち電気）に変換する（及び／又は、使用可能な電力は電子デバイスのバッテリに格納される）。いくつかの実施形態において、受信器１２０の整流回路は、電子デバイスによる使用のために電気エネルギをＡＣからＤＣに変換する。いくつかの実施形態において、電圧調整回路は、電子デバイスによる必要に応じて電気エネルギの電圧を増減し、電子デバイスによって必要とされる形式で電力を提供するために定電圧を生成してよい。
【００５３】
[0061]  いくつかの実施形態において、受信器１２０は、送信器パッド１００の多数の単位セルアンテナ１１０によって形成された電磁エネルギの近接場蓄積からエネルギを回収する。いくつかの実施形態において、送信器パッド１００から電力波を受け取るために用いられる少なくとも１つのそれぞれの受信器１２０を各々が有する複数の電子デバイスが、送信器パッド１００の表面に配置され得る。いくつかの実施形態において、送信器パッド１００は、１以上のエネルギ蓄積を制御可能に形成するために電力波の１以上の特性（例えば位相、利得、振幅、周波数などの波形特性）を調整する。図４Ａ〜図４Ｃを参照して以下で更に詳しく説明するように、送信器パッド１００は、様々な受信器及び受信器を収容する電子デバイスを考慮するために、電力波を送信するための特性のセットを調整してよい（例えば（様々な種類の電子デバイスにおいて様々な位置に埋め込まれ得る）受信器１２０と送信器パッド１００との間の距離は、受信器ごとに変化し得る）。
【００５４】
[0062]  いくつかの実施形態において、例えばコントローラ回路及び／又は波形生成器などの送信器パッド１００の回路（不図示）は、単位セルアンテナ１１０の挙動を少なくとも部分的に制御してよい。例えば、通信信号によって受信器から受信した情報（又は送信器センサ（複数も可）１１４によって収集されたデータ）に基づいて、コントローラ回路は、受信器１２０に効果的に電力を提供する電力波を送信するために用いられる１以上の波形特性（例えば様々な特性の中でも特に振幅、周波数、方向、位相）のセットを決定してよい。またコントローラ回路は、電力波の送信において有効な１以上の単位セルアンテナ１１０を識別してもよい（例えば受信器１２０は、２つの単位セルの間に位置してよく、そのような場合、２つの単位セルアンテナがアクティブ化され得る）。
【００５５】
[0063]  以下で更に詳しく説明するように、それぞれの単位セルアンテナにおける「切り抜き」の寸法（例えば幅、深さ、及び長さ）は、それぞれの単位セルアンテナのそれぞれの表面におけるエネルギの近接場蓄積を形成するために用いられる電力波の遠方場利得を低減するように選択される。例えば寸法は、それぞれの切り抜きに沿って電流が流れると、近接場電磁場が生成され、隣接した単位セルアンテナによって生成された遠方場電磁場が相殺することにより、エネルギの近接場蓄積のみが残り、遠方場利得が最小化又は除去されるように選択される。
【００５６】
[0064]  図１Ｂにも示すように、送信器パッドは、複数の単位セルアンテナ（例えば単位セル１１０−Ａ、・・・、単位セル１１０−Ｎ）を含む。単位セルアンテナは、本明細書において、相互置換的に、近接場アンテナ、ＮＦアンテナ、又は非共振誘導ＮＦアンテナとも称される。いくつかの実施形態において、単位セルアンテナ１１０は、送信器パッド１００の表面積の全部又は一部を覆う。複数の単位セルアンテナ１１０が、送信器パッド１００の上面（すなわち充電表面）に接してよい（例えば、送信器パッド１００の単位セル１００及び他の構成要素１０２は、可撓性又は他の種類の遮蔽物に包まれ得る）。
【００５７】
[0065]  図２は、いくつかの実施形態に係る、送信器パッド２００の斜視図である。いくつかの実施形態において、送信器パッド２００は、図１の送信器パッド１００である。送信器パッド２００は、内部キャビティを規定するハウジング２０２を含む。内部キャビティは、最低限、複数の単位セル１１０を収容する。又はウジング２０２は、送信器パッド１００（図１Ａ）の他の構成要素１０２も収容してよい。いくつかの実施形態において、ハウジング２０２は、ハウジング２０２の一部又は全部が単一構造として機械加工又は成形加工される一体構成を用いて形成されてよく、あるいは多数の構造（例えば内部フレーム構造、外側ハウジング表面を形成する１以上の構造など）を用いて形成され得る。ハウジング２０２は、金属（例えば鋼鉄、アルミニウム、真鍮、銅など）、他の適当な材料、又はこれらの材料のいずれか２つ以上の組み合わせで形成され得る。いくつかの実施形態において、ハウジング２０２の少なくとも２つの部分（例えば側壁及び表面）は、異なる電磁特性（例えば透過率及び誘電率）を有する異なる材料で製作される。いくつかの実施形態において、ハウジング２０２は、電磁放射を遮断する材料（例えば銅、鋼鉄、アルミニウムなど）で全体が製作される。
【００５８】
[0066]  送信器パッド２００は、導電層又は導電板２０４を含む。いくつかの実施形態において、導電板２０４は、ハウジング２０２の一部（例えばハウジングの一体構成の一部）である。いくつかの実施形態において、ハウジング２０２及び導電板２０４は、送信器パッド２００の独立部品である。これらの実施形態において、ハウジング２０２は、ハウジング２０２の一端に開口部を含み、導電板２０４は開口部に近接する。いくつかの実施形態において、導電板２０４及びハウジング２０２は、同じ材料（複数も可）（例えば銅、ニッケルなどの同じ種類の金属）で製作される。いくつかの実施形態において、導電板２０４及びハウジング２０２は、少なくとも１つの異なる材料で製作される。
【００５９】
[0067]  いくつかの実施形態において、送信器パッド２００は、接地又は接地板（例えば接地板３０８、図３Ａ）も含む。図３Ａに示すように、絶縁体（例えば誘電材料）は、導電板２０４を接地板３０８から分離してよい。
【００６０】
[0068]  いくつかの実施形態において、導電板２０４は、各々が少なくとも１つの単位セルに関連する複数の別個の無線充電領域を含む（点線で示すボックス２０６−Ａ及び２０６−Ｂは、それぞれの無線充電領域を規定する）。無線充電領域は、受信器２１２（例えば受信器１２０、図１Ｂ）の無線充電が、無線充電領域の１以上における（それぞれの単位セル１１０による）電磁エネルギの近接場蓄積の形成によってもたらされる、導電板２０４のエリアである。いくつかの実施形態において、複数の単位セルが、導電板２０４の表面積のほぼすべて（例えば８０％以上）を覆う。このようにして、ユーザは、導電板２０４の様々な位置で自身のデバイスを無線充電し得る。すなわち、ユーザは、受信器を含む自身のデバイスを送信器パッド上に配置するだけでよく、充電は、デバイスの正確な位置又は向きに関して考慮する必要なく発生する。
【００６１】
[0069]  各単位セル２０６は、無線充電領域の各々における電磁エネルギの近接場蓄積の形成をもたらす１以上の切り抜き２０８−Ａ及び２０８−Ｂ（例えば、導電層又は導電板２０４を通って伸長するチャネル／スロット）を含む。例えば、ＲＦ電力伝送信号４２２（図４Ｃ）が無線充電領域２０６−Ａの下の給電によって送信された場合、ＲＦ信号の少なくともいくつかは、導電板２０４に到達し、無線充電領域２０６−Ａの単位セルアンテナに関連する切り抜き２０８−Ａ、２０８−Ｂの各々に沿った導電板２０４の縁部／周縁に沿って電流２０９を励起させる。切り抜き２０８の寸法、切り抜き２０８の配置、及び切り抜き２０８の各特定のセグメントにおける電流２０９の方向（例えば切り抜き２０８−Ａのセグメント２１４において電流２０９は矢印によって示すように第１方向へ流れ、切り抜き２０８−Ａのセグメント２１６において電流２０９は第１方向とは反対の第２方向へ流れる）に基づいて、エネルギ蓄積は、切り抜き２０８から放射する（例えば、電磁場はセグメント２１４から放射し、他の電磁場は、セグメント２１６から放射する）。導電板２０４を励起するＲＦ信号によって形成されたこれらのエネルギ蓄積は、本明細書において「ホットゾーン」又は単純に「ゾーン」とも称される。上述したように、受信器は、受信器に結合された電子デバイスに給電又は充電するために、これらのエネルギ蓄積からエネルギを回収してよい。
【００６２】
[0070]  いくつかの実施形態において、各切り抜きは、寸法のセット（例えば幅、深さ（例えば導電板２０４の厚さ）、及び長さ）を含む。１以上の切り抜きにおいて形成されたエネルギ蓄積の特性（例えば高さ、幅、集中度、近接場利得、遠方場利得など）は、１以上の切り抜きの寸法のセットに少なくとも部分的に依存する。いくつかの例において、切り抜きの寸法のセット（及び切り抜きのそれぞれのセグメント）は、エネルギ蓄積の特性が、受信器２１２の適切な充電をもたらすように、アプリケーション要件に基づいて慎重に選択され、例えば切り抜き２０８−Ａの幅は、切り抜き２０８−Ａのセグメント２１４及び２１６から放射する電磁場が（遠方場領域において）少なくとも部分的に相殺することにより遠方場利得が最小化されながら、電子デバイスに埋め込まれた受信器へ電力を送達するために導電板２０４の外側表面より上に十分遠くまで伸長するエネルギ蓄積が生成されるように選択される（受信器は埋込型であるため、蓄積は、これらの埋込型受信器に到達するために導電板２０４の表面より上へ移動する必要がある）。
【００６３】
[0071]  いくつかの実施形態において、それぞれの無線充電領域における１以上の切り抜きは全て同じ形状を有する。例えば、無線充電領域２０６−Ａ内の単位セルは、第１切り抜き２０８−Ａ及び第２切り抜き２０８−Ｂを含む。図示するように、第１切り抜き２０８−Ａの形状は、第２切り抜き２０８−Ｂと鏡対称である。また、いくつかの実施形態において、第１切り抜き２０８−Ａ及び第２切り抜き２０８−Ｂは、交互配置又は挿入形式で配置される（すなわち嵌合する）。そうすることで、第１及び第２切り抜き２０８−Ａ、２０８−Ｂにおいて形成されたエネルギ蓄積は、無線充電領域２０６−Ａに関連する表面積の閾値量（例えば無線充電領域２０６−Ａに関連する導電板２０４の表面積の８０％以上、又はそれよりいくらか多い（又は少ない）量）を覆う。加えて、第１及び第２切り抜き２０８の交互配置又は挿入形式により、第１切り抜き２０８−Ａのそれぞれのセグメントから放射する電磁場の遠方場成分は、第２切り抜き２０８−Ｂのそれぞれのセグメント（例えば互いに隣接するセグメント）から放射する電磁場の遠方場成分を少なくとも部分的に打ち消す。よって、遠方場利得が更に低減される。
【００６４】
[0072]  いくつかの実施形態において、導電板２０４における隣接する単位セルは、互いに対して回転される。例えば、無線充電領域２０６−Ａ内の第１単位セルは、第１単位セルに隣接する、無線充電領域２０６−Ｂ内の第２単位セルに対して回転される。第１単位セル及び第２単位セルは、同じ交互配置又は挿入形式で配置された切り抜きを含む。ただし、第１単位セル内の切り抜きは、第１軸（例えば垂直軸）に沿って配置され、第２単位セル内の切り抜きは、第２軸（例えば水平軸）に沿って配置され、第２軸は第１軸と直角を成す。単位セルの回転配置により、第２切り抜き２０８−Ｂから放射する電磁場の一部は、無線充電領域２０６−Ｂに関連する単位セルの切り抜き２０９から放射する電磁場の一部を少なくとも部分的に打ち消す。よって、遠方場利得が更に低減される。
【００６５】
[0073]  電子デバイス２１０は、導電板２０４の外側表面に配置され、追加の単位セル（図２には不図示）の上に位置する。電子デバイス２１０に埋め込まれた受信器２１２（例えば受信器１２０、図１Ｂ）もまた、この追加の単位セルの上に位置する。よって、送信器パッド２００（例えば送信器パッド１００、図１Ａ〜図１Ｂ）は、受信器２１２の検出後、受信器２１２の無線充電を開始してよい。いくつかの実施形態において、送信器パッド２００は、受信器２１２からの通信信号を受信（又は交換）することによって受信器を検出する。代替又は追加として、いくつかの実施形態において、送信器パッド２００は、１以上の送信器センサ１１４（図１Ａ）を介して受信器の存在を検出する。例えば送信器パッド２００の光センサは、電子デバイスが導電板２０４における切り抜きの１つの上に位置する時のハウジング２０２の内部キャビティ内での光の変化を検出してよい。他の例において、送信器パッド２００の赤外線センサは、電子デバイスが導電板２０４における切り抜きの１つの上に位置する時の導電板２０４における温度変化を検出してよい。他の種類のセンサ及びセンサデータが、受信器２１２を検出するために用いられ得る。
【００６６】
[0074]  理解すべき点として、切り抜き２０８は特定の形状（例えばＵ字形又は馬蹄形）で示されるが、切り抜きは、他の適当な形状を有してよい（例えば、１つの送信器パッド内の様々な単位セルアンテナが様々な形状を有し得る）。加えて、図２に示す単位セル２０６のサイズに対する電子デバイス２１０及び受信器２１２のサイズは、単なる例示である（例えば、単位セルは、電子デバイス２１０及び受信器２１２のサイズに対してより小さく（又は大きく）あってよい）。
【００６７】
[0075]  いくつかの実施形態において、それぞれの単位セルは、約３５ｍｍ×３５ｍｍの寸法を有してよい。従って、２×２の単位セル配置を含む送信器パッドは、約７０ｍｍ×７０ｍｍの寸法を有してよい。他の実施形態において、送信器パッドは、３×３の単位セル配置を含んでよく、よって送信器パッドは、約１０５ｍｍ×１０５ｍｍの寸法を有してよい。これらは単なる例であり、（送信器パッド及び個々の単位セルに関する）他の寸法及び単位セル配置も可能である。
【００６８】
[0076]  図３Ａ〜図３Ｄは、いくつかの実施形態に係る送信器パッド２００の（図２の直線Ａ〜Ａ’に沿って示された）断面図を示す。断面ハッシングは、明確性のために、アンテナ３０６及び給電素子３０７から除去されている。
【００６９】
[0077]  図３Ａに示すように、導電板２０４は、導電板２０４を通って伸長する（例えば、導電板２０４の内側表面を通り導電板２０４の外側表面から伸長する）複数の切り抜き（例えば切り抜き３０２−Ａ）を含む。導電板２０４及び複数の切り抜きは、厚さＴ１を有する。
【００７０】
[0078]  送信器パッド２００は、導電板２０４の上の様々な距離におけるエネルギ蓄積の投射を少なくとも部分的に担う絶縁体３０４も含む。絶縁体３０４は、それぞれの給電素子３０７−Ａ及び３０７−Ｂを導電板２０４の内側表面から分離する。また、絶縁体３０４は、導電板２０４と接地板３０８との間に挟まれる。絶縁体３０４は、厚さＴ２を有する。いくつかの実施形態において、導電板２０４の厚さ（Ｔ１）は、絶縁体３０４の厚さ（Ｔ２）よりも大きく、あるいはその逆である。いくつかの実施形態において、導電板２０４の厚さ（Ｔ１）は、絶縁体３０４の厚さ（Ｔ２）と同じである。いくつかの実施形態において、絶縁体３０４の厚さ（Ｔ２）は、動作周波数に少なくとも部分的に基づいて選択される。例えば絶縁体３０４の厚さ（Ｔ２）は、動作周波数の０．０３λ〜０．５λの範囲内であってよい。上述したように、送信器パッド２００は、アプリケーションに依存して、４００ＭＨｚ（λ＝０．７５メートル）〜６０ＧＨｚ（λ＝０．００５メートル）の周波数範囲で複数のＲＦ電力伝送信号を送信し得る。従って、４００ＭＨｚの周波数で動作する場合、絶縁体３０４の厚さ（Ｔ２）は、約０．０２２５メートル（すなわち２２．５ｍｍ）〜約０．３７５メートル（すなわち３７５ｍｍ）の範囲であってよく、６０ＧＨｚの周波数で動作する場合、絶縁体３０４の厚さ（Ｔ２）は、約０．０００１５メートル（すなわち０．１５ｍｍ）〜約０．００２５メートル（すなわち２．５ｍｍ）の範囲であってよい。当業者が理解するように、絶縁体３０４の厚さ（Ｔ２）は、応用ごとに変化してよく、上で提供された例は、状況を提供するために用いられたにすぎない。従っていくつかの実施形態において、絶縁体３０４の厚さ（Ｔ２）は、約０．１５ｍｍ〜約３７５ｍｍの範囲であってよい。
【００７１】
[0079]  絶縁体３０４の厚さ（Ｔ２）は、導電板２０４から放射するエネルギ蓄積の１以上の特性（例えば高さ、幅、集中度、近接場利得、遠方場利得、共振周波数など）を修正してよい。例えば絶縁体が第１厚さ（Ｔ２’）を有する場合、エネルギ蓄積は、導電板２０４の外側表面の上に第１高さまで伸長してよく、絶縁体が第２厚さ（Ｔ２”）を有する場合、エネルギ蓄積は、導電板２０４の外側表面の上に第２高さまで伸長してよく、第２高さは第１高さと異なる。従って絶縁体３０４の厚さ（Ｔ２）は、導電板２０４から放射する電磁場の全体効率に影響を及ぼし得る。
【００７２】
[0080]  いくつかの実施形態又は状況において、導電板２０４の厚さもまた、蓄積の形成に影響を及ぼすように選択され得る。（例えば導電板２０４の厚さＴ１は、（ｉ）遠方場領域における電磁場の一部の打消し、及び（ｉｉ）受信器２１２への電力送達のために導電板２０４の外側表面の上の近接場領域において十分遠くまで伸長するエネルギ蓄積への効果を促すために選択される。
【００７３】
[0081]  いくつかの実施形態において、絶縁体３０４は空気である。あるいはいくつかの実施形態において、絶縁体３０４は、ハウジング２０２の内部キャビティ内に配置された誘電材料（例えばポリマ、繊維強化ポリマ、ガラスなど）である。上述したように、絶縁体３０４の厚さ（Ｔ２）は、エネルギ蓄積の１以上の特性に影響を及ぼし得る。また、第２種類の絶縁体の上に第１種類の絶縁体を用いることも、エネルギ蓄積の１以上の特性に影響を及ぼし得る。いくつかの実施形態において、絶縁体３０４は、導電板２０４を支持する（例えば、導電層は絶縁層上に形成され、切り抜きは、導電層から絶縁体までエッチングされる）。
【００７４】
[0082]  送信器パッド２００は、（破線によって分離された）第１単位セル３０５−Ａ及び第２単位セル３０５−Ｂを含む。第１単位セル３０５−Ａは第１給電素子３０７−Ａを含み、第２単位セル３０５−Ｂは第２給電素子３０７−Ｂを含む。第１及び第２単位セルアンテナ３０５は、１以上の単位セルアンテナ１１０（図１Ａ〜図１Ｂ）の例であってよい。図示するように、第１及び第２給電素子３０７は、導電板２０４の内側表面から距離（Ｄ）だけ分離される。ただしいくつかの実施形態において、第１及び第２アンテナは、導電板２０４の内側表面から異なる距離だけ分離される。距離（Ｄ）における変化は、導電板２０４から放射するエネルギ蓄積の１以上の特性（例えば高さ、幅、集中度、近接場利得、遠方場利得の制御など）を修正し得る。いくつかの実施形態において、エネルギ蓄積の適切な形成を確実にするために、距離（Ｄ）は、絶縁体３０４の厚さ（Ｔ２）よりも小さい。またいくつかの実施形態において、距離（Ｄ）は、絶縁体３０４の厚さ（Ｔ２）よりも閾値量だけ小さい。言い換えると、距離（Ｄ）と絶縁体３０４の厚さ（Ｔ２）との比は、既定の範囲を満たす。例えば、既定の範囲は、（Ｄ）／（Ｔ２）の比を０．０５λ〜０．８λに、すなわち０．０５λ＜（Ｄ）／（Ｔ２）＜０．８λに制限してよい。上述したように、少なくともいくつかの実施形態において、絶縁体３０４の厚さ（Ｔ２）は、送信器パッド２００の動作周波数に依存して、約０．１５ｍｍ〜約３７５ｍｍの範囲であってよい。従って、これらの実施形態において、距離（Ｄ）は、（Ｄ）／（Ｔ２）の比を０．０５λ〜０．８λに制限する既定の範囲の観点から、（例えば６０ＧＨｚの周波数で動作する場合の）約０．００７５ｍｍ〜（４００ＭＨｚの周波数で動作する場合の）約３００ｍｍの範囲であってよい。
【００７５】
[0083]  ハウジング２０２の内部キャビティ内に配置された誘電材料を有するこれらの実施形態において、第１及び第２給電素子３０７は、少なくとも部分的に誘電材料に包まれ得る。そうすることで、第１及び第２給電素子３０７（及び送信器パッド２００の他のアンテナ）は更に支持され、よって、送信器パッド２００の耐久性が向上する（例えば、送信器パッド２００の落下時などに、絶縁体が衝撃力をより良く吸収する）。また、第１及び第２給電素子３０７（及び他の給電素子）の間の干渉は、給電素子３０７が少なくとも部分的に誘電材料に包まれる場合、実質的に低減される（すなわち、給電素子３０７は互いに電気的に隔離される）。この配置の観点から、送信器パッド２００の全体効率が向上する。
【００７６】
[0084]  いくつかの実施形態において、送信器パッド２００は、各アンテナ素子に関する金属パッチ素子３０６を含む。給電素子３０７は、対応するパッチ素子３０６を駆動する。例えば、第１パッチ素子３０６−Ａは第１給電素子３０７−Ａによって駆動され、第２パッチ素子３０６−Ｂは第２給電素子３０７−Ｂによって駆動される。給電素子３０７は、当業者に既知である任意の適当な材料（例えばアルミニウム、銅など）から製作され得る。
【００７７】
[0085]  いくつかの実施形態において、送信器パッド２００は、接地又は接地層又は接地板３０８を含む。いくつかの実施形態において、接地板３０８は、ハウジング２０２（図２）の底面を形成する。あるいはいくつかの実施形態において、接地板３０８は、ハウジング２０２内の底面の上に配置される。接地板３０８は、ハウジング２０２と同じ材料で形成され、あるいは異なる材料で形成され得る。いくつかの実施形態において、接地板３０８は、給電素子（例えば給電素子３０７−Ａ）が接地板３０８を通過することを可能にする穴（例えばビア）を含む。あるいはいくつかの実施形態において、給電素子は接地板３０８を通過せず、代わりに他の何らかの方向（例えば側方）からアンテナ素子に接続する。いくつかの実施形態において、接地板３０８は、ＲＦ電力伝送信号が接地板３０８を通過できず、単位セルのそれぞれの切り抜きに向かって戻り反射するように、反射体として機能する。
【００７８】
[0086]  図３Ｂは、導電表面２０４に配置された電子デバイス２１０の拡大断面図である。図示するように、電子デバイス２１０及び受信器２１２は、切り抜き３０２−Ｂ（例えば導電板２０４における複数の切り抜きの１つ）の上に位置する。従って、第１給電３０７−Ａが複数のＲＦ電力伝送信号を導電板２０４の内側表面へ向かって送信すると、複数のＲＦ電力伝送信号のうちの少なくとも一部のＲＦ電力伝送信号は、切り抜き３０２−Ｂの周囲を流れるように電流を励起することにより、導電板２０４の近接場距離内で切り抜き３０２−Ｂの上に電磁エネルギの蓄積を形成させる。受信器２１２はその後、切り抜き３０２−Ｂの上に形成されたエネルギ蓄積からエネルギを回収する。
【００７９】
[0087]  電子デバイス２１０は、側壁３２２と、受信器２１２を収容する内部キャビティ３２４とを含む。図示するように、受信器２１２は、導電板２０４の外側表面に直接配置されない。代わりに受信器２１２は、導電板２０４の外側表面から距離「Ｘ」（すなわち、側壁３２２の厚さ）だけ分離される。従って送信器パッド２００は、導電板２０４の外側表面の上にエネルギ蓄積が少なくとも距離Ｘだけ伸長することを確実にするように、給電素子３０７−Ａによって送信された電力波の１以上の特性（例えば位相、利得、振幅、周波数などの波形特性）を調整してよい。いくつかの実施形態において、送信器パッド２００は、エネルギ蓄積が距離Ｘを過ぎて所定の量だけ伸長することにより、受信器２１２がエネルギ蓄積からエネルギを回収できることを確実にするように、電力波の１以上の特性を調整する。
【００８０】
[0088]  いくつかの実施形態において、送信器パッド２００は、受信器２１２の存在を検出した後、電力波（例えばＲＦ電力伝送信号４２２、図４Ｃ）の１以上の特性を調整する。送信器パッド２００は、上述した技術例を用いて受信器２１２の存在を検出してよい。
【００８１】
[0089]  代替又は追加として、いくつかの実施形態において、送信器パッド１００は、受信器２１２から１以上の通信信号を受信した後、電力波の１以上の特性を調整する。例えば、１以上の通信信号に含まれたデータは、受信器２１２が第１給電３０７−Ａから特定の距離だけ分離していることを示してよい。送信器パッド２００は、１以上の通信信号の信号強度、三角測量、及び／又は応答時間に基づいて、分離距離を決定してよい（例えば受信器２１２は、送信時に通信信号をタイムスタンプし、これが、送信器パッド２００における受信時の通信信号のタイムスタンプと比較される）。いくつかの実施形態において、送信器パッド２００は、２つ以上の形式のデータ（例えば信号強度と熱撮像データとの組み合わせ、又は他の何らかの組み合わせ）を用いて分離距離を決定する。分離距離を用いて、送信器パッド２００は、電子デバイス２１０の側壁３２２の厚さを決定して（例えば、距離「Ｘ」を得るために、分離距離から、給電３０７−Ａと導電板２０４の外側表面との固定距離を差し引いて）よい。
【００８２】
[0090]  いくつかの実施形態において、送信器パッド１００は、受信器２１２から得られたデータ、送信器センサによって得られたデータ、切り抜き（複数も可）の寸法のセット、及び切り抜きの配置を考慮することによって、電力波の１以上の特性を調整する。
【００８３】
[0091]  図３Ｃは、いくつかの実施形態に係る送信器パッド２００の（図２の直線Ａ〜Ａ’に沿って示された）他の断面図３３０である。電子デバイス２１０及び受信器２１２は、例示及び説明の容易性のために、図３Ｃ〜図３Ｄには示されない。また、図３Ａに含まれる他のいくつかの参照は、明確性のために図３Ｃ〜図３Ｄには含まれない。
【００８４】
[0092]  送信器パッド２００がハウジング２０２を含むこれらの実施形態において、ハウジング２０２は、側壁（例えば側壁３２２−Ａ、３２２−Ｂなど）、底面３３４、及び底面３３４と対向に規定された開口部を含む。すなわち、導電板２０４は、導電板２０４が開口部に近接するようにハウジング２０２の４つの側壁に結合される。
【００８５】
[0093]  いくつかの実施形態において、底面３３４は、接地板３０８（図３Ａ）である。あるいはいくつかの実施形態において、接地板３０８は、上述したようにハウジングの底面３３４の上に配置される。底面３３４が接地板３０８であるこれらの実施形態において、底面３３４は、１以上の給電（例えば給電素子３０７−Ａ）がハウジング２０２を通過することを可能にする１以上の穴（例えばビア）を含む。
【００８６】
[0094]  いくつかの実施形態において、アンテナ型式が、導電板２０４の内側表面からアンテナまでの分離距離を規定し得る。例えば図３Ａを参照すると、第１及び第２給電３０７−Ａ、３０７−Ｂは、導電板２０４の内側表面から第１距離（Ｄ）だけ分離される。第１及び第２給電素子３０７−Ａ、３０７−Ｂは、それぞれ金属パッチ３０６−Ａ及び３０６−Ｂに給電してよい（例えば、給電及び金属パッチは、上に位置する１以上の切り抜きを励起する第１型式のパッチアンテナのそれぞれのアンテナを形成する）。また、給電素子３０７−Ａ、３０７−Ｂは、他の様々なアンテナ型式（例えばモノポール、ダイポール、磁気ループ、多層無給電アンテナなど）に給電してよい。ここで図３Ｃを参照すると、第１及び第２給電素子３３６−Ａ、３３６−Ｂは、導電板２０４の内側表面から、第１距離（Ｄ）よりも小さい第２距離（Ｊ）だけ分離される。第１及び第２給電素子３３６−Ａ、３３６−Ｂは、第２型式のアンテナ（例えばモノポールアンテナ）である。従って、状況（例えば送信器パッド２００の高さ制限などの設計制限）に依存して、１つの型式のアンテナが他の型式のアンテナよりも優先して用いられ得る。また、少なくともいくつかの例において、１以上の切り抜きと給電素子３３６−Ａ、３３６−Ｂとの間の補完関係は、送信器パッド２００の性能を改善する。「補完関係」の例は、パッチ（例えばマイクロストリップ印刷型の給電素子）（図３Ａに示す）と対である、導電板２０４を通って規定された切り抜きを含む。他の１つの例は、スロット式の給電と対である、導電板２０４表面の外側表面におけるワイヤ導体を含む。留意すべき点として、上記例は単なる例示であり、その結果は、状況に依存して逆であってよい。
【００８７】
[0095]  図３Ｄは、いくつかの実施形態に係る、送信器パッド２００の（図２の直線Ａ〜Ａ’に沿って示された）他の断面図である。図示するように、送信器パッド２００は、導電板２０４の上に設けられた１以上の追加の層を含んでよい。いくつかの実施形態において、第１追加の層３４２は、電子デバイス２１２を導電板２０４の外側表面から分離する誘電材料（例えばプラスチック層、ガラス層など）である。第１追加の層３４２は誘電層であるため、それぞれの切り抜きに形成されたエネルギ蓄積を変えることはない。しかし、送信器パッド２００は、第１追加の層３４２が含まれる場合、受信器２１２とアンテナとの間の分離距離（すなわち距離「Ｘ」、図３Ｂ）が増加するため、第１追加の層３４２の厚さを補償する必要がある。いくつかの実施形態において、第１追加の層３４２は「レンズ」として機能し、これは、切り抜き付近に形成されたエネルギ蓄積の集中度（例えば集束）を高めることを意味する。従って第１追加の層３４２は、単位セルの中心に対する特定の位置における絶縁を向上させ得る（例えば、近隣の単位セルへの放射を低減させ得る）。加えて、第１追加の層３４２は、導電板２０４の外側表面全体に均一にエネルギを分散させる。その結果、隣接するエネルギ蓄積間の隙間（すなわち「コールドゾーン」）が最小化され、あるいは除去され得る。
【００８８】
[0096]  また、いくつかの実施形態において、送信器パッド２００は、第１追加の層３４２の上に設けられた第２追加の層３４４を含む。第２追加の層３４４は、例えばアルミニウム又は銅などの導電材料であってよい。いくつかの実施形態において、第２追加の層３４４は、導電板２０４と同様の別の導電板である。あるいはいくつかの実施形態において、第２追加の層３４４は、第１追加の層３４４に堆積（例えば印刷、塗装など）される。ここでも送信器パッド２００は、第２追加の層３４４が含まれる場合、受信器２１２とアンテナとの間の分離距離（すなわち距離「Ｘ」、図３Ｂ）が増加するため、第２追加の層３４４の厚さを補償する必要がある。
【００８９】
[0097]  いくつかの実施形態において、第２追加の層３４４は、それぞれの切り抜きに形成された１以上のエネルギ蓄積の形成を知らせる。例えば、第２追加の層３４４は、それぞれの切り抜きに形成されたエネルギ蓄積の集中を高め、及び／又はその位置を調整（すなわち位置をオフセット）してよい。他の例において、第２追加の層３４４は、第１エネルギ蓄積の１以上の部分を、第２（及び場合によっては第３）エネルギ蓄積における１以上の部分と合流させる（すなわち、導電板２０４の外側表面全体に均一にエネルギを分散させる）ために用いられ得る。このようにして、隣接するエネルギ蓄積間の隙間（すなわち「コールドゾーン」）が最小化され、あるいは除去され得る。いくつかの例において、第２追加の層３４４は、第１追加の層３４４に関して上述した利益を更に増大させる。
【００９０】
[0098]  図４Ａ〜図４Ｃは、いくつかの実施形態に係る、単位セル及び単位セルのそれぞれの切り抜きに生じるエネルギ蓄積を示す。図４Ａは、単位セル４００（例えば単位セル１１０−Ａ、図１）の上面図である。単位セル４００は、導電板４０２を通って規定された第１及び第２切り抜き４０４（例えばチャネル、スロットなど）を有する導電板４０２（例えば導電板２０４、図２）を含む。また、単位セル４００は、導電板４０２の下に位置する（例えば図２のハウジング２０２によって規定された内部キャビティ内に位置する）給電素子４０６（例えば給電３０７−Ａ、図３Ａ）を含む。給電素子４０６は単位セル４００の中心にあるように示されるが、いくつかの実施形態において、給電素子４０６は中心にない（又は、第１軸に関して中心にあるが第２軸に関して中心になくてよい）。給電素子４０６を様々な位置に配置することは、エネルギ蓄積の分布に影響を及ぼし得る（例えば、第１位置はより均一な分布をもたらし、第２位置はより集束した分布をもたらし得る）。
【００９１】
[0099]  図示するように、第１及び第２切り抜き４０４の各々は、（本明細書において切り抜き部分と称される）複数の部分４０８を含む。それぞれの切り抜きの部分は、数々の方法で配置され得る。例えば第１切り抜き４０４−Ａは、第２部分４０８−Ｂに垂直な（例えば直交する）第１部分４０８−Ａ、及び第２部分４０８−Ｂに垂直な第３部分４０８−Ｃを含む。第２切り抜き４０４−Ｂは、同様の部分（符号なし）を含む。他の例において、第１部分４０８−Ａが第２部分４０８−Ｂに垂直であってよく、第３部分４０８−Ｃもまた第２部分４０８−Ｂに垂直であり得るが、（図４Ａに示すように上向きではなく）下向きに伸長し得る。これらの配置は単なる例示であり、他の配置も可能である。
【００９２】
[0100]  いくつかの実施形態において、第１切り抜き４０４Ａの形状は、第２切り抜き４０４−Ｂの形状（例えば馬蹄形）の鏡対称である。また、第１切り抜き４０４−Ａは、第２切り抜き４０４−Ｂと交互配置され、又はその間に入る。この配置は、第１及び第２切り抜き間の隙間を最小化し（例えば第１及び第２切り抜き４０４のそれぞれの部分の間に最小の隙間）、その結果、隣接するエネルギ蓄積間の隙間もまた最小化される。また、切り抜き４０４の補完性質（例えば嵌合配置）はまた、（ｉ）単位セル４００の遠方場利得を最小化し、（ｉｉ）他の単位セル上に位置する他のデバイスとの干渉を低減する。例えば切り抜き４０４−Ａのそれぞれの部分からの遠方場電磁場は、それぞれの切り抜きに隣接する部分からの遠方場電磁場によって（図２を参照して上述したように）少なくとも部分的に打ち消される。加えて、第１及び第２切り抜き４０４の嵌合配置により、電磁放射の遠方場利得は、切り抜きの各々の間で更に最小化される。
【００９３】
[0101]  いくつかの実施形態において、第１及び第２切り抜き４０４の各々は、送信器パッドによって送信された（例えばアンテナ素子４０６によって送信された）それぞれのＲＦ電力伝送信号の波長と少なくとも同じ大きさの全長を有する。よって、少なくともいくつかの実施形態において、切り抜き４０４の各部分の長さは、送信器パッドによって送信されたそれぞれのＲＦ電力伝送信号の波長よりも小さい。例えば、第２切り抜き４０４−Ａは、各々が波長よりも小さい長さ「Ｘ」を有するそれぞれ第１、第２、及び第３部分４０８−Ａ、４０８−Ｂ、及び４０８−Ｃを含む。ただし、３つの部分の各々からの３つの長さ「Ｘ」が結合されると、切り抜き４０４−Ａの全長は、少なくとも波長と同じ大きさである。いくつかの実施形態において、長さ「Ｘ」は、送信器によって送信されたそれぞれのＲＦ電力伝送信号の波長の半分（又は概ね半分）（例えばλ／２）である。いくつかの実施形態において、「Ｘ」の長さは、波長の他の何らかのパーセンテージである。
【００９４】
[0102]  図４Ｂは、いくつかの実施形態に係る、給電素子４０６による複数のＲＦ電力伝送信号の送信時に形成されたエネルギ蓄積を示す単位セル４００の上面図４１０である。図示するように、多数のエネルギ蓄積（例えばエネルギ蓄積４１２）が各切り抜きの長さに沿って生じる。蓄積の数は、それぞれの切り抜きにおける部分の数に対応する。例えば第１及び第２切り抜き４０４の各々は３つの部分（例えば第１部分４０８−Ａ、第２部分４０８−Ｂ、及び第３部分４０８−Ｃ）を含む。よって、第１及び第２切り抜き４０４の各々は、３つのエネルギ蓄積を含む。この観点から、それぞれの切り抜きの設計に依存して、任意の数のエネルギ蓄積が生成され得る（例えば１０の垂直な部分を有する切り抜きは、１０のエネルギ蓄積の生成をもたらす）。それぞれの部分の長さは、それぞれの部分にエネルギ蓄積が生じるかを規定し、それぞれの部分から放射する電磁場の特性（例えばエネルギ蓄積に存在するエネルギ量）も規定する。
【００９５】
[0103]  図４Ｃは、いくつかの実施形態に係る、給電素子４０６による複数のＲＦ電力伝送信号４２２の送信中の単位セル４００の（図４Ｂの直線Ｃ〜Ｃ’に沿って示された）断面図４２０である。図示するように、給電素子４０６による複数のＲＦ電力伝送信号４２２の送信は、上にある切り抜き４０４の周囲に沿って電流の伝導をもたらすことにより、複数のエネルギＮＦ蓄積４１２−Ａ〜４１２−Ｄを第１及び第２切り抜き４０４に形成させる。複数のエネルギ蓄積４１２−Ａ〜４１２−Ｄは、導電板４０２の上に距離「Ｙ」だけ伸長する。距離「Ｙ」は、図３Ｂを参照して上述した分離距離「Ｘ」よりも大きい（例えば距離「Ｘ」は、受信器２１２と導電板２０４の外側表面との間の距離に関係する）。このため、複数のエネルギ蓄積４１２−Ａ〜４１２−Ｄの各々は、導電板４０２の上に配置された受信器に到達し、受信器の無線充電をもたらし得る。
【００９６】
[0104]  いくつかの実施形態において、複数のエネルギ蓄積４１２−Ａ〜４１２−Ｄは、導電板４０２の外側表面の上に約１〜５ミリメートル伸長する。例えば、受信器が導電板４０２の外側表面から２ミリメートル分離する場合、複数のエネルギ蓄積４１２−Ａ〜４１２−Ｄは、導電板４０２の外側表面の上に２．１〜５ミリメートル伸長してよい。いくつかの実施形態において、送信器パッド１００（図１Ａ）のプロセッサ１０４は、距離「Ｙ」を大きく（又は小さく）するために、複数のＲＦ電力伝送信号４２２の１以上の特性を修正する。また、導電板４０２からの様々な距離においてエネルギのＮＦ蓄積を形成させるために様々な変数が操作されてよく、これらの変数は、導電板４０２の厚さ、絶縁体４１４（例えば絶縁体３０４、図３Ａ）の厚さ、切り抜きの幅、部分の長さを含み、複数の単位セルを含む特定の送信器パッドを用いて充電されるデバイスの型式に依存して、アンテナの型式もまた、距離「Ｙ」を大きく（又は小さく）し得る。
【００９７】
[0105]  図５Ａ〜図５Ｂは、いくつかの実施形態に係る、単位セル及び単位セルの単一の切り抜きにおいて生じるエネルギ蓄積を示す。図５Ａは、単位セル５００（例えば単位セル１１０−Ａ、図１Ｂ）の上面図である。単位セル５００は、切り抜き５０４（例えばチャネル／スロット）を有する導電板（例えば導電板２０４、図２）を含む。単位セル５００は、導電板５０２の下に位置する（例えば図２のハウジング２０２によって規定された内側キャビティ内に位置する）給電素子５０６（例えば給電素子３０７−Ａ、図３Ａ）を含む。給電素子５０６は単位セル５００の中心にあるように示されるが、いくつかの実施形態において、給電５０６は中心にない（あるいは、第１軸に関して中心にあるが第２軸に関して中心になくてよい）。
【００９８】
[0106]  いくつかの実施形態において、切り抜き５０４は、送信器によって送信された（例えばアンテナ素子５０６によって送信された）それぞれのＲＦ電力伝送信号の波長と少なくとも同じ大きさの全長を有する。また、切り抜き５０４は、複数の部分（例えば切り抜き５０４の各垂直及び水平部）を含む。いくつかの実施形態において、切り抜き５０４の各部分の長さは、送信器パッド（例えば送信器パッド２００、図２）によって送信されたそれぞれのＲＦ電力伝送信号の波長より小さい。いくつかの実施形態において、複数の部分の各々の長さは同じ（例えばλ／２）である。あるいはいくつかの実施形態において、複数の部分の第１部分セットは第１長さを有し、複数の部分の第２部分セットは第２長さを有し、第２長さは第１長さよりも大きい。いくつかの実施形態において、第１長さは、エネルギ蓄積の生成をもたらす長さ（例えばλ／２）であり、第２長さは、エネルギ蓄積の生成をもたらさない長さ（例えばλ）である。
【００９９】
[0107]  図５Ｂは、いくつかの実施形態に係る、アンテナ素子５０６による複数のＲＦ電力伝送信号の送信後に形成されたエネルギ蓄積を示す単位セル５００の上面図５１０である。複数のエネルギ蓄積（例えばエネルギ蓄積５０８）の各々は、切り抜き５０４の一部に沿って生じる。いくつかの実施形態において、切り抜き５０４のそれぞれの各部分は、それぞれの部分に形成された対応するエネルギ蓄積を有する。あるいはいくつかの実施形態において、切り抜き５０４の１以上の部分は、（例えば、それぞれの部分の長さがエネルギ蓄積の生成をもたらさない場合）それぞれの部分に形成された対応するエネルギ蓄積を有さない。
【０１００】
[0108]  図６は、いくつかの実施形態に係る、最小遠方場利得を伴う近接場距離において１以上のＲＦエネルギ蓄積を形成するための無線電力伝送の方法を示すフローチャートである。方法６００の動作（例えばステップ）は、近接場充電パッド（例えば送信器パッド１００、図１Ａ〜図１Ｂ、送信器パッド２００、図２）又はそれらの１以上の構成要素（例えばＲＦ電力伝送信号生成モジュール、特性選択モジュール、及び／又はビーコン送信モジュール）によって行われ得る。図６に示す動作の少なくとも一部は、コンピュータメモリ又はコンピュータ可読記憶媒体（例えば送信器パッド１００のメモリ１０６、図１Ａ）に格納された命令に対応する。
【０１０１】
[0109]  方法６００は、（ｉ）第１及び第２対向平坦表面（例えば内側表面及び外側表面）及び（ｉｉ）第１表面から第２表面へ導電板を通って伸長する１以上の切り抜き（例えば切り抜き４０４−Ａ及び４０４−Ｂ、図４、切り抜き５０４、図５Ａ）を有する導電板（例えば導電板２０４、図２）を含む近接場アンテナ（例えば単位セル４００、図４、単位セル５００、図５）を提供すること（６０２）を含む。近接場アンテナは更に、絶縁体（例えば絶縁体３０４、図３Ａ）を介して導電板の第１表面から分離された給電素子（例えば給電素子３０７、図３Ａ）を含む。いくつかの実施形態において、給電素子はパッチアンテナの少なくとも構成要素であり、給電素子と導電板との間に絶縁体が配置される。あるいはいくつかの実施形態において、給電素子は、少なくとも部分的に絶縁体に包まれたパッチアンテナの構成要素である。いくつかの実施形態において、導電板は、単位セルに固有の板（すなわち、別個かつ独立した板）である。あるいはいくつかの実施形態において、導電板は、１以上の隣接した単位セルへ伸長する。
【０１０２】
[0110]  いくつかの実施形態において、近接場アンテナは更に、給電素子を接地板（例えば接地３０８、図３Ａ）から分離する別の絶縁体を含む。あるいはいくつかの実施形態において、絶縁体は給電素子を接地板から分離する。
【０１０３】
[0111]  いくつかの実施形態において、導電板は、絶縁体の表面に設けられた導電層である（例えば、絶縁体は剛性ポリマ基板であり、導電層はその上に設けられる）。あるいはいくつかの実施形態において、絶縁体は、導電板の第１表面に設けられた誘電層である。
【０１０４】
[0112]  いくつかの実施形態において、絶縁体は、ポリマ、繊維強化ポリマ、ガラス、及び空気から成るグループから選択される。いくつかの実施形態において、絶縁体の厚さは導電板の厚さよりも大きく、あるいはその逆である。
【０１０５】
[0113]  いくつかの実施形態において、１以上の切り抜きのうち第１切り抜きは、第１蛇行線パターンを形成し、１以上の切り抜きのうち第２切り抜きは、第２蛇行線パターンを形成する。いくつかの実施形態において、第１及び第２蛇行線パターンは、同じ蛇行線パターンである（すなわち、第１蛇行線パターンの形状は、第２蛇行線パターンの形状の鏡対称である）。例えば図４Ａを参照すると、第１切り抜き４０４−Ａは第１蛇行線パターンを形成し、第２切り抜き４０４−Ｂは第２蛇行線パターンを形成する。あるいはいくつかの実施形態において、第１及び第２蛇行線パターンは異なる蛇行線パターンである。いくつかの実施形態において、線形パターンは、少なくとも１つの方向転換を含む場合、蛇行線パターンとみなされる。いくつかの実施形態において、少なくとも１つの方向転換は、垂直な方向転換である、あるいはいくつかの実施形態において、少なくとも１つの方向転換は、他の何らかの角度の方向転換である。当業者が理解するように、図４及び図５における線形パターンは非限定的な例であり、他の蛇行線パターンが実現され得る。
【０１０６】
[0114]  いくつかの実施形態において、第１蛇行線パターンは、第２蛇行線パターンに対して回転（例えば１８０度回転）される。言い換えると、第１蛇行線パターンの形状は第１方向に配置されてよく、第２蛇行線パターンの形状は、第１方向とは反対の第２方向に配置され得る。例えば図４Ａに示すように、第１切り抜き４０４−Ａ（すなわち第１蛇行線パターン）及び第２切り抜き４０４−Ｂ（すなわち第２蛇行線パターン）は反対方向に配置されるため、２つの切り抜きは嵌合する。
【０１０７】
[0115]  方法６００は更に、給電素子に、複数のＲＦ電力伝送信号を導電板へ（例えば図２の導電板２０４の内側表面へ）向けさせることを含む。いくつかの実施形態において、複数のＲＦ電力伝送信号は、５．８ＧＨｚ、２．４ＧＨｚ、及び９００ＭＨｚから成るグループから選択された周波数で送信される。
【０１０８】
[0116]  いくつかの実施形態において、給電素子に複数のＲＦ電力伝送信号を導電板へ向けさせる前に、送信器パッド２００は、導電板上の受信器を検出する（例えばユーザは、受信器２１２を収容する電子デバイス２１０を導電板２０４の外側表面に配置することにより、図２の無線充電領域２０６−Ａの閾値距離内に受信器を置く）。いくつかの実施形態において、給電素子は、受信器が外側表面の閾値距離内に配置されたことの決定に応答して、電力増幅器からの１以上のＲＦ電力伝送信号を受信する。いくつかの実施形態において、閾値距離は、所定の閾値距離である（例えば所定の閾値距離は、図１Ａの送信器パッド１００のメモリ１０６に格納される）。
【０１０９】
[0117]  いくつかの実施形態において、送信器パッド２００は、１以上のセンサ（例えば送信器センサ１１４、図１Ａ）を用いて受信器を検出する。代替又は追加として、いくつかの実施形態において、送信器パッド２００は、受信器から（又は受信器と）１以上の通信信号を受信すること（又は交換すること）（例えば、図１Ａの通信部品（複数も可）１１２を介して１以上の通信信号を受信すること）によって受信器を検出する。例えば、近接場アンテナに接続されたプロセッサ１０４（図１Ａ）によって受信された１以上の通信信号に関連する信号強度レベルは、受信器が外側表面の閾値距離内にあることを示してよい。受信器の検出は、図２及び図３Ａ〜図３Ｂを参照して更に詳しく上述される。
【０１１０】
[0118]  方法６００は更に、導電板において、給電素子からの複数のＲＦ電力伝送信号を受信すること（６０６）を含む。いくつかの実施形態において、給電素子からの複数のＲＦ電力伝送信号を受信することにより、１以上の切り抜きによって規定された導電板の縁部／周縁に沿って電流（例えば電流２０９、図２）が流れる。
【０１１１】
[0119]  方法６００は更に、複数のＲＦ電力伝送信号からのＲＦエネルギが導電板の近接場距離内に蓄積して、１以上の切り抜きの各々において蓄積ＲＦエネルギ（例えばエネルギ蓄積４１２Ａ〜４１２Ｄ、図４Ｃ）の少なくとも２つの区分ゾーンを生成するように、１以上の切り抜きを通して複数のＲＦ電力伝送信号の少なくともいくつかを放射すること（６０８）を含む。１以上の切り抜きの各々における蓄積ＲＦエネルギの少なくとも２つの区分ゾーンは、（ｉ）１以上の切り抜きの各々を規定する寸法のセット、及び（ｉｉ）１以上の切り抜きの配置に少なくとも部分的に基づいて規定される。例えば１以上の切り抜きの各々を規定する寸法のセットは、導電板の厚さ、切り抜きの幅、切り抜きの形状、切り抜きの長さ、及び切り抜きの部分（例えばセグメント）の数を含んでよい。１以上の切り抜きの配置は、蓄積ＲＦエネルギの隣接ゾーン間の隙間を最小化する。加えて、配置に依存して、蓄積ＲＦエネルギの１以上の隣接ゾーンが実質的に合流することにより、蓄積ＲＦエネルギのゾーン間の隙間が除去され得る。
【０１１２】
[0120]  いくつかの実施形態において、少なくとも２つの区分ゾーンは、導電板の第２表面の表面積の８０％以上を覆う。あるいはいくつかの実施形態において、少なくとも２つの区分ゾーンは、導電板の第２表面の表面積の９０％以上を覆う。表面積の被覆の度合いは、（ｉ）１以上の切り抜きの各々を規定する寸法のセット、及び（ｉｉ）１以上の切り抜きの配置（例えば所与の単位セルにおける配置ならびに隣接する単位セル間での切り抜きの配置）に少なくとも部分的に基づく。
【０１１３】
[0121]  いくつかの実施形態において、１以上の切り抜きのそれぞれの切り抜きは、複数のＲＦ電力伝送信号のそれぞれのＲＦ電力伝送信号の波長と少なくとも同じ大きさのそれぞれの長さを有する。そのような構成は、図４及び図５を参照して上述したように、それぞれの切り抜きの長さに沿った蓄積ＲＦエネルギの少なくとも２つの区分ゾーンの形成を促す。
【０１１４】
[0122]  また、いくつかの実施形態において、それぞれの切り抜きは少なくとも、第１方向に規定された第１部分（例えば第１部分４０８−Ａ、図４Ａ）、及び第２方向に規定された第２部分（例えば第２部分４０８−Ｂ、図４Ａ）を含み、第２方向は第１方向に直交する。更に、蓄積ＲＦエネルギの少なくとも２つの区分ゾーンのうちの１つ目は第１部分に生成され、蓄積ＲＦエネルギの少なくとも２つの区分ゾーンのうちの２つ目は第２部分に生成される。
【０１１５】
[0123]  いくつかの実施形態において、それぞれの切り抜きは更に、第１方向又は他の何らかの方向に規定された第３部分（例えば第３部分４０８−Ｃ、図４Ａ）を含む。いくつかの実施形態において、第３部分は第１部分と鏡対称であり、それぞれの切り抜きは馬蹄形を成す。あるいはいくつかの実施形態において、第３部分は第１及び第２部分から伸長し、それぞれの切り抜きは「Ｓ」字形を成す。いくつかの実施形態において、蓄積ＲＦエネルギの第３区分ゾーンが第３部分に生成される。それぞれの切り抜きは更に、様々な方向に規定された追加の部分を含んでよい。
【０１１６】
[0124]  いくつかの実施形態において、蓄積ＲＦエネルギの少なくとも２つの区分ゾーンは、導電板の第２表面の上に５ミリメートル以下（又はそれよりいくらか大きい（又は小さい）量）しか伸長しない。このようにして、近接場充電パッドの遠方場利得は制御され、近接場充電パッドに近接して位置する他のデバイス（又は他の金属物体）との潜在的干渉は著しく低減され、いくつかの状況では、完全に除去される。
【０１１７】
[0125]  いくつかの実施形態において、近接場アンテナは第１近接場アンテナ（例えば図２の無線充電領域２０６−Ａに関連する単位セル）であり、近接場充電パッドにおいて第１近接場アンテナに隣接した位置にある第２近接場アンテナ（例えば図２の無線充電領域２０６−Ｂに関連する単位セル）も少なくとも含む近接場充電パッド（例えば送信器パッド２００、図２）の一部である。加えて、第２近接場アンテナに関連するそれぞれの切り抜きは、第１近接場アンテナに関連する１以上の切り抜きに対して回転される。例えば第２近接場アンテナ（例えば図２の無線充電領域２０６−Ｂに関連する単位セル）は、第１近接場アンテナ（例えば図２の無線充電領域２０６−Ａに関連する単位セル）に対して（例えば９０度）回転されてよく、あるいはその逆である。隣接した単位セル及びそこに規定された切り抜きを回転させることは、遠方場利得に対する制御を更に増加させるために役立ち、遠方場利得が近接場充電パッドに関して全体的に著しく低減されることを確実にする。また、隣接するエネルギ蓄積の（例えば単位セルと単位セルとの）間の隙間も低減される（例えば近接場充電パッドにおける「コールドゾーン」を除去する）。
【０１１８】
[0126]  図７は、いくつかの実施形態に係る、近接場アンテナを製造する方法を示すフロー図である。近接場アンテナは、単一の単位セルの例（例えば単位セル１１０−Ａ、図１、単位セル４００、図４など）であってよい。
【０１１９】
[0127]  方法７００は、近接場アンテナの導電板（例えば導電板４０２、図４Ａ）を通って規定される１以上の切り抜き（例えば切り抜き４０４−Ａ及び４０４−Ｂ、図４Ａ）に関する寸法のセットを選択すること（７０２）を含み、導電板は対向する第１（例えば内側）及び第２（例えば外側）の平坦表面を有する。１以上の切り抜きに関する寸法は、更に詳しく上述される。
【０１２０】
[0128]  方法７００は更に、所定の配置（例えば図４Ａに示すような嵌合配置）において導電板の第１及び第２表面を通る１以上の切り抜きを形成すること（７０４）を含み、１以上の切り抜きの各々が寸法のセットを有する。いくつかの実施形態において、１以上の切り抜きを形成することは、１以上の切り抜きのミリング（例えばＣＮＣミリング）、１以上の切り抜きのレーザエッチング、１以上の切り抜きの化学エッチング、又は当業者に既知である他の何らかの方法を含む。留意すべき点として、切り抜き自体が「所定の配置」で形成されてよく、例えば切り抜き５０４は所定の配置で形成される（図５）。
【０１２１】
[0129]  方法７００は更に、絶縁体（例えば絶縁体３０４、図３Ａ）を導電板の第１表面（例えば内側表面）に結合すること（７０６）を含む。絶縁体は、導電板の第１表面に機械的及び／又は（例えば接着剤を用いて）化学的に固定され得る。いくつかの実施形態において、絶縁体は、導電板の１以上の領域を支持する。
【０１２２】
[0130]  いくつかの実施形態において、絶縁体は、導電板を通る１以上の切り抜きを形成する前に、導電板の第１表面（例えば内側表面）に結合される（あるいは絶縁体は、１以上の切り抜きを形成する前に導電板の第１表面に堆積される）。よってこれらの実施形態において、導電板を通る１以上の切り抜きを形成すること（７０４）は、例えば導電板の外側表面を通って導電板の内側表面に結合された絶縁体の表面までミリングすることを含む。
【０１２３】
[0131]  方法７００は更に、給電素子を絶縁体に結合すること（７０８）を含む。いくつかの実施形態において、給電素子は、機械的及び／又は（例えば接着剤を用いて）化学的に絶縁体に固定される。代替又は追加として、いくつかの実施形態において、給電素子は、少なくとも部分的に絶縁体内に埋め込まれる。留意すべき点として、ステップ７０８は、絶縁体が空気である実施形態においてスキップされ得る。これらの実施形態において、給電素子は、近接場アンテナの他の何らかの構造（例えば図２のハウジング２０２の一部）に結合され得る。
【０１２４】
[0132]  いくつかの実施形態において、絶縁体は第１絶縁体であり、方法は更に、第２絶縁体を給電素子に結合することを含む。例えば第１絶縁体は給電素子の頂部に結合され、第２絶縁体は給電素子の底部に結合され得る。このようにして、第１絶縁体、給電素子、及び第２絶縁体の間にサンドイッチ構造が形成される。給電素子は、機械的及び／又は（例えば接着剤を用いて）化学的に第２絶縁体に固定される。代替又は追加として、いくつかの実施形態において、給電素子は、少なくとも部分的に第２絶縁体内に埋め込まれる。
【０１２５】
[0133]  上述したように、給電素子は、複数のＲＦ電力伝送信号を導電板へ向けるように構成され、複数のＲＦ電力伝送信号のうち少なくとも一部のＲＦ電力伝送信号は、１以上の切り抜きを通って放射し、導電表面の近接場距離内に蓄積して、１以上の切り抜きの各々に蓄積ＲＦエネルギの少なくとも２つの区分ゾーンを生成する。１以上の切り抜きの各々における蓄積ＲＦエネルギの少なくとも２つの区分ゾーンは、（ｉ）１以上の切り抜きの各々を規定する寸法のセット、及び（ｉｉ）１以上の切り抜きの配置に少なくとも部分的に基づいて規定される。エネルギ蓄積の形成は、図２〜図５Ｂを参照して更に詳しく上述される。
【０１２６】
[0134]  いくつかの実施形態において、方法７００のステップは、追加の近接場アンテナが製造されるように反復され得る。加えて、いくつかの実施形態において、方法７００は更に、近接場アンテナのアレイ（例えば図１Ｂに示すような単位セルアンテナ１１０−Ａ〜１１０−Ｎのアレイ）を形成することを含む。またいくつかの実施形態において、導電板は、近接場アンテナのアレイにおける各近接場アンテナに関連する連続的な板である。あるいはいくつかの実施形態において、各近接場アンテナは別個の導電板を含む。
【０１２７】
[0135]  近接場アンテナのアレイは、バス接続（例えば通信バス１０８、図１Ａ）を介して相互接続されてよく、１以上のプロセッサ（例えば送信器パッド１００のプロセッサ（複数も可）１０４、図１Ａ）に更に接続され得る。
【０１２８】
[0136]  いくつかの実施形態において、近接場アンテナのアレイは、ハウジング（例えばハウジング２０２、図２）内に配置される。このようにして、ＲＦ電力伝送信号の（例えば側壁を介した）漏洩は実質的に低減され、場合によってはなくされる。
【０１２９】
[0137]  図８は、いくつかの実施形態に係る、送信器パッドに形成された様々な電力分布（例えばエネルギ蓄積）を示す。特に図８は、４つの単位セル（例えば単位セル４００、図４Ａ、単位セル５００、図５Ａ）を有する送信器パッド（例えば送信器パッド１００、図１Ａ〜図１Ｂ）におけるエネルギ蓄積８０２の集中を示し、各単位セルは連続的にアクティブ化される（例えばアクティブ化は、単位セルの給電素子がＲＦ電力伝送信号の送信を開始することを意味する）。図示するように、エネルギ蓄積８０２は単位セル８０１の表面積を実質的に覆う。また、単位セル８０１の表面積は、最小限のコールドゾーン８０４を有する。これは、上述したように、１以上の切り抜きの各々を規定する寸法のセット及び１以上の切り抜きの配置の結果生じる。
【０１３０】
[0138]  また、エネルギ蓄積８０２は、現在アクティブ化されている単位セルに実質的に限定される（すなわち、単位セル８０１において生成された電磁放射は、近隣の単位セルへ実質的に放射しない）。これは、制御された遠方場利得、及び互いに対し実質的に隔離された単位セルが最小化されることに起因する。従って、近隣の単位セル上の物体は、現在アクティブ化されている単位セル８０１から発する放射によって影響を及ぼされず、あるいは特定の単位セルにおけるエネルギ蓄積が、特定の単位セルの付近に配置され得る金属物体による影響を受けることもない。
【０１３１】
[0139]  図９は、全方向に均一に放射する等方性アンテナに関する放射パターンと比較して、１以上の切り抜きを含む単位セルアンテナに関する放射パターンの例を示すグラフである。特に図９は、単位セルアンテナに関する放射パターンが近接場範囲（例えば１〜５ミリメートル）内で単位セルアンテナの表面より上に伸長すること、及び（複数の単位セルアンテナ１１０を含む）送信器パッド１００の付近で動作する他の電子デバイス（又は付近に位置する他の金属物体）とのあらゆる潜在的干渉を回避するために遠方場利得が最小化され制御されることを示す。
【０１３２】
[0140]  本明細書において本発明の説明に用いられる用語は、特定の実施形態を説明するためのものにすぎず、本発明を限定することは意図されない。本発明の説明及び添付の特許請求の範囲において用いられる場合、単数形の「ａ」、「ａｎ」、及び「ｔｈｅ」は、文脈が特に明示しない限り、複数形も同様に含むことが意図される。また理解されるように、本明細書で用いられる「及び／又は」という用語は、関連して羅列される事項の１以上のいずれか及び全ての可能な組み合わせを指し、それらを包括する。更に理解されるように、「備える」及び／又は「備えている」という用語は、本明細書で用いられる場合、記載される特徴、ステップ、動作、要素、及び／又は構成要素の存在を明示するが、１以上の他の特徴、ステップ、動作、要素、構成要素、及び／又はそれらのグループの存在又は追加を除外するものではない。
【０１３３】
[0141]  また理解されるように、「第１」、「第２」などの用語が本明細書で様々な要素を説明するために用いられ得るが、これらの要素は、これらの用語によって限定されてはならない。これらの用語は、１つの要素と別の要素とを区別するためのみに用いられる。例えば第１領域が第２領域と呼ばれてよく、同様に第２領域が第１領域と呼ばれてよく、「第１領域」の発生全てが一貫して再命名され、「第２領域」の発生全てが一貫して再命名される限り、説明の意味は変化しない。第１領域及び第２領域は両方ともに領域であるが、それらは同じ領域ではない。上記記述は、説明のために、特定の実施形態を参照して記述された。ただし上記の例示的説明は、網羅的であること、又は本発明を開示された形式そのものに限定することが意図されない。多数の修正及び変形例が上記教示の観点から可能である。実施形態は、本発明の原理及びその実用的応用を最適に説明することにより、当業者が、意図された特定の使用に適したように様々な修正を伴って本発明及び様々な実施形態を最適に利用することが可能であるように選択され、記述された。
【図１Ａ】
2020522157.tif 000003
【図１Ｂ】
2020522157.tif 000004
【図２】
2020522157.tif 000005
【図３Ａ】
2020522157.tif 000006
【図３Ｂ】
2020522157.tif 000007
【図３Ｃ】
2020522157.tif 000008
【図３Ｄ】
2020522157.tif 000009
【図４Ａ】
2020522157.tif 000010
【図４Ｂ】
2020522157.tif 000011
【図４Ｃ】
2020522157.tif 000012
【図５Ａ】
2020522157.tif 000013
【図５Ｂ】
2020522157.tif 000014
【図６】
2020522157.tif 000015
【図７】
2020522157.tif 000016
【図８】
2020522157.tif 000017
【図９】
2020522157.tif 000018
【国際調査報告】
2020522157.tif 000019